(57)【要約】  本開示の映像表示方法は、映像信号および可視光信号を取得するステップ（Ｓ１１）と、可視光信号を変調することにより、輝度変化パターンを決定するステップ（Ｓ１２）と、フレーム表示期間の一部の期間である第１の期間において、パネルに含まれるＬＥＤを輝度変化パターンにしたがって輝度変化させることにより、可視光信号を送信するステップ（Ｓ１３）と、第１の期間の後にある第２の期間における、映像信号によって示される第２の階調を、第１の期間の輝度変化パターンの階調である第１の階調に応じて補正するステップ（Ｓ１４）と、第２の期間において、補正された第２の階調でＬＥＤを点灯させるステップ（Ｓ１５）を含む。
2017098684.tif 000002
【特許請求の範囲】
【請求項１】
映像信号および可視光信号を取得する信号取得ステップと、  前記可視光信号を変調することにより、輝度変化パターンを決定する決定ステップと、  前記映像信号の１フレームを表示するフレーム表示期間の一部の期間である第１の期間において、パネルに含まれる複数の光源のうちの少なくとも１つの光源を、前記輝度変化パターンにしたがって輝度変化させることにより、前記可視光信号を送信する信号送信ステップと、  前記フレーム表示期間の一部の期間であって前記第１の期間の後にある第２の期間における、前記映像信号によって示される前記光源の輝度の階調である第２の階調を、前記第１の期間の前記輝度変化パターンによって表現される前記光源の輝度の階調である第１の階調に応じて補正する補正ステップと、  前記第２の期間において、補正された前記第２の階調で前記光源を点灯させる映像点灯ステップと  を含む映像表示方法。
【請求項２】
前記信号送信ステップでは、  前記パネルに含まれる複数の光源のうち、前記映像信号によって示される第２の階調が閾値階調よりも低い光源を、前記第１の期間において点灯させず、前記映像信号によって示される第２の階調が前記閾値階調以上の光源を、前記第１の期間において前記輝度変化パターンにしたがって輝度変化をさせる  請求項１に記載の映像表示方法。
【請求項３】
前記パネルに含まれる各光源の輝度の階調は、当該光源が点灯する点灯期間に応じて表現され、  前記補正ステップでは、  前記第２の階調に対応する点灯期間を、前記第１の階調に対応する点灯期間だけ短縮することによって、前記第２の階調を補正し、  前記映像点灯ステップでは、  前記第２の期間において、短縮された前記第２の階調に対応する点灯期間だけ前記光源を点灯させる  請求項２に記載の映像表示方法。
【請求項４】
前記信号送信ステップでは、  前記第１の期間において、前記光源を、スロット単位で、互いに異なる第１の輝度および第２の輝度のうちの何れかの輝度で点灯させることによって、前記光源を前記輝度変化パターンにしたがって輝度変化せ、  前記スロットにおいて前記第１の輝度または第２の輝度で前記光源を点灯させるときには、前記スロットよりも短い時間幅のパルス光を前記光源に繰り返し発生させることによって、前記スロットの期間だけ前記光源を点灯させる  請求項３に記載の映像表示方法。
【請求項５】
前記閾値階調は、前記第１の階調よりも高い  請求項３または４に記載の映像表示方法。
【請求項６】
前記閾値階調は、前記第１の階調の略１．５倍以上である  請求項５に記載の映像表示方法。
【請求項７】
前記補正ステップでは、  前記第２の期間における複数の時点で、前記光源が点灯する場合には、前記複数の時点のそれぞれの前記第２の階調を補正し、  前記映像点灯ステップでは、  前記複数の時点のそれぞれで、補正された前記第２の階調で前記光源を点灯させる  請求項５または６に記載の映像表示方法。
【請求項８】
前記補正ステップでは、  前記複数の時点のそれぞれの前記第２の階調から、同一の階調を減算することによって、前記複数の時点のそれぞれの前記第２の階調を補正する  請求項７に記載の映像表示方法。
【請求項９】
前記補正ステップでは、  前記複数の時点のうちの第１の時点における前記第２の階調から、ｎ階調（ｎは１以上の整数）を減算し、前記複数の時点のうちの前記第１の時点よりも前記第１の期間から遠い第２の時点における前記第２の階調から、ｍ階調（ｍは１以上ｎ未満の整数）を減算することによって、前記第１および第２の時点のそれぞれの前記第２の階調を補正する  請求項７に記載の映像表示方法。
【請求項１０】
複数の光源が配列されたパネルと、  映像信号および可視光信号を取得する信号取得部と、  前記可視光信号を変調することにより、輝度変化パターンを決定する決定部と、  前記映像信号の１フレームを表示するフレーム表示期間の一部の期間である第１の期間において、前記パネルに含まれる複数の光源のうちの少なくとも１つの光源を、前記輝度変化パターンにしたがって輝度変化させることにより、前記可視光信号を送信する信号送信部と、  前記フレーム表示期間の一部の期間であって前記第１の期間の後にある第２の期間における、前記映像信号によって示される前記光源の輝度の階調である第２の階調を、前記第１の期間の前記輝度変化パターンによって表現される前記光源の輝度の階調である第１の階調に応じて補正する補正部と、  前記第２の期間において、補正された前記第２の階調で前記光源を点灯させる映像点灯部と  を備える映像表示装置。
【発明の詳細な説明】
【技術分野】
【０００１】  本開示は、映像を表示する映像表示方法などに関する。
【背景技術】
【０００２】  従来、ＬＥＤ（Ｌｉｇｈｔ  Ｅｍｉｔｔｉｎｇ  Ｄｉｏｄｅ）がマトリクス状に配列されたパネル（ＬＥＤパネル）に映像を表示させる映像表示方法が提案されている（例えば、特許文献１参照）。この映像表示方法では、ＰＷＭ制御によってＬＥＤの発光輝度の階調を調整する。
【先行技術文献】
【特許文献】
【０００３】
【特許文献１】特開２０１２−２２７４５８号公報
【発明の概要】
【０００４】  しかしながら、上記特許文献１の映像表示方法では、映像の表示と、可視光信号の送信とを適切に行うことができないという問題がある。
【０００５】  そこで、本開示は、映像の表示と可視光信号の送信とをそれぞれ適切に行うことができる映像表示方法などを提供する。
【０００６】  本開示の一態様に係る映像表示方法は、映像信号および可視光信号を取得する信号取得ステップと、前記可視光信号を変調することにより、輝度変化パターンを決定する決定ステップと、前記映像信号の１フレームを表示するフレーム表示期間の一部の期間である第１の期間において、パネルに含まれる複数の光源のうちの少なくとも１つの光源を、前記輝度変化パターンにしたがって輝度変化させることにより、前記可視光信号を送信する信号送信ステップと、前記フレーム表示期間の一部の期間であって前記第１の期間の後にある第２の期間における、前記映像信号によって示される前記光源の輝度の階調である第２の階調を、前記第１の期間の前記輝度変化パターンによって表現される前記光源の輝度の階調である第１の階調に応じて補正する補正ステップと、前記第２の期間において、補正された前記第２の階調で前記光源を点灯させる映像点灯ステップとを含む。
【０００７】  なお、この包括的または具体的な態様は、システム、方法、装置、集積回路、コンピュータプログラムまたはコンピュータ読み取り可能なＣＤ−ＲＯＭなどの記録媒体で実現されてもよく、システム、方法、装置、集積回路、コンピュータプログラムおよび記録媒体の任意な組み合わせで実現されてもよい。
【０００８】  本開示の映像表示方法は、映像の表示と可視光信号の送信とをそれぞれ適切に行うことができる。
【図面の簡単な説明】
【０００９】
【図１】図１は、従来の映像表示方法から想定される映像表示装置の構成と、その映像表示装置のＬＥＤパネルにおける映像表示の一例とを示す図である。
【図２】図２は、従来の映像表示方法から想定される映像表示装置における信号および電流のシーケンスを示す図である。
【図３】図３は、実施の形態における映像表示装置の構成例を示すブロック図である。
【図４】図４は、実施の形態における映像表示装置に用いられる各信号のタイミングの一例を示す図である。
【図５】図５は、実施の形態における光ＩＤのスロット幅とパルス幅との関係を示す図である。
【図６】図６は、実施の形態におけるＬＥＤパネルの点灯方式を説明するための図である。
【図７Ａ】図７Ａは、実施の形態における映像表示装置に用いられる各信号と各電流のタイミングの一例を示す図である。
【図７Ｂ】図７Ｂは、実施の形態における、図７Ａに示す例に適用されるスロット幅とパルス幅との関係を示す図である。
【図８】図８は、実施の形態における映像信号によって示される映像の２値化を示す図である。
【図９Ａ】図９Ａは、実施の形態における映像表示装置に用いられる各信号と各電流のタイミングの他の例を示す図である。
【図９Ｂ】図９Ｂは、図９Ａに示す例に適用されるスロット幅とパルス幅との関係を示す図である。
【図１０Ａ】図１０Ａは、実施の形態における映像表示装置に用いられる各信号と各電流のタイミングの他の例を示す図である。
【図１０Ｂ】図１０Ｂは、実施の形態における、図１０Ａに示す例に適用される制御信号のスロット幅とパルス幅との関係を示す図である。
【図１０Ｃ】図１０Ｃは、実施の形態における、図１０Ａに示す例に適用されるドライブ信号のスロット幅とパルス幅との関係を示す図である。
【図１１Ａ】図１１Ａは、実施の形態におけるＬＥＤパネルと映像信号との関係を示す図である。
【図１１Ｂ】図１１Ｂは、実施の形態における、複数のＬＥＤユニットから構成されるＬＥＤパネルの一例を示す図である。
【図１２】図１２は、実施の形態におけるＬＥＤパネルの映像表示方法の一例を示す図である。
【図１３】図１３は、実施の形態におけるＬＥＤパネルの映像表示方法の他の例を示す図である。
【図１４】図１４は、実施の形態における、ちらつきの抑制の一例を説明するための図である。
【図１５】図１５は、実施の形態における、ちらつきの抑制の他の例を説明するための図である。
【図１６】図１６は、実施の形態におけるＬＥＤパネルが１フレーム表示期間に光ＩＤにしたがって輝度変化するタイミングの例を示す図である。
【図１７】図１７は、実施の形態におけるＬＥＤパネルが１フレーム表示期間に光ＩＤにしたがって輝度変化するタイミングの他の例を示す図である。
【図１８】図１８は、実施の形態における、最高の映像階調が２０の場合での、映像階調、光ＩＤの階調および補正後の映像階調の関係を示す図である。
【図１９】図１９は、実施の形態における、映像信号点灯期間から無駄な期間を削減する例を示す図である。
【図２０Ａ】図２０Ａは、実施の形態における、最高の映像階調が２６の場合での、映像階調、光ＩＤの階調および補正後の映像階調の関係を示す図である。
【図２０Ｂ】図２０Ｂは、実施の形態における、最高の映像階調が２６の場合での、映像階調、光ＩＤの階調および補正後の映像階調の関係を示す図である。
【図２０Ｃ】図２０Ｃは、実施の形態における、最高の映像階調が２６の場合での、映像階調、光ＩＤの階調および補正後の映像階調の関係を示す図である。
【図２１Ａ】図２１Ａは、本開示の一態様に係る映像表示方法を示すフローチャートである。
【図２１Ｂ】図２１Ｂは、本開示の一態様に係る映像表示装置の機能構成の一例を示すブロックである。
【発明を実施するための形態】
【００１０】  （本発明の基礎となった知見）  本発明者は、「背景技術」の欄において記載した特許文献１の映像表示方法に関し、以下の問題が生じることを見出した。
【００１１】  図１は、上記特許文献１の映像表示方法から想定される映像表示装置の構成と、その映像表示装置のＬＥＤパネルにおける映像表示の一例とを示す図である。
【００１２】  図１の（ａ）に示すように、映像表示装置１０００は、ＬＥＤ１〜９がマトリクス状に配置されたパネルであるＬＥＤパネル１３００と、スイッチ回路１２００と、時分割スイッチング制御部１１００と、ＬＥＤドライバ回路１４００とを備える。
【００１３】  このような映像表示装置１０００は、時分割制御によってＬＥＤパネル１３００の各ＬＥＤ１〜９の点灯状態を制御することにより、静止画または動画などの映像を表示する。
【００１４】  ＬＥＤパネル１３００の各ＬＥＤ１〜９のアノードおよびカソードのうちの一方には、時分割で駆動するスイッチ回路１２００が接続されている。スイッチ回路１２００は、それぞれスイッチとして用いられる３つのトランジスタＴｒ１〜Ｔｒ３を備える。また、各ＬＥＤ１〜９の他方には、定電流回路として構成されたＬＥＤドライバ回路１４００が接続されている。
【００１５】  時分割スイッチング制御部１１００は、スイッチ回路１２００の各トランジスタＴｒ１〜Ｔｒ３を時分割でオンまたはオフに切り替える。ＬＥＤドライバ回路１４００は、そのトランジスタがオンになっているタイミングで、映像信号に応じて点灯させるＬＥＤに流れる電流値を制御する。これにより、ＬＥＤパネル１３００の各ＬＥＤ１〜９を、映像信号に応じた輝度で点灯させることができる。
【００１６】  例えば、図１の（ｂ）に示すように、ＬＥＤ１を階調１０の輝度で点灯させたり、ＬＥＤ２を階調７の輝度で点灯させたりすることができる。
【００１７】  図２は、映像表示装置１０００における信号および電流のシーケンスを示す図である。
【００１８】  例えば、映像信号の１フレームに対応する期間は、例えば３つの期間に分割され、それらの３つの期間は、非点灯期間と映像信号点灯期間とを含む。３つの映像信号点灯期間におけるＬＥＤ１〜９の点灯によって１フレームが表現される。
【００１９】  時分割スイッチング制御部１１００は、非点灯期間［Ａ］（時刻ｔ１〜ｔ２）が経過した後の映像信号点灯期間［Ｂ］（時刻ｔ２〜ｔ３）において、トランジスタＴｒ１をスイッチングするためのＣＯＭ１制御信号をＨｉｇｈにする。これにより、トランジスタＴｒ１はオンになる。このとき、ＬＥＤドライバ回路１４００は、映像信号に応じてＬＥＤ１〜３を制御するためのＳＥＧ１ドライブ信号、ＳＥＧ２ドライブ信号、およびＳＥＧ３ドライブ信号をＯＮに切り替える。これにより、ＣＯＭ１制御信号がＨｉｇｈで、かつ、ＳＥＧ１ドライブ信号がＯＮの期間において、ＬＥＤ１（ＣＯＭ１−ＳＥＧ１間）に電流が流れて、ＬＥＤ１が点灯する。また、ＬＥＤ１に電流が流れる期間が長いほど、ＬＥＤ１の輝度の階調は高い。つまり、ＰＷＭ制御が行われる。例えば、ＬＥＤ１は階調１０（ｇ１０）の輝度で点灯する。同様に、ＣＯＭ１制御信号がＨｉｇｈで、かつ、ＳＥＧ２ドライブ信号がＯＮの期間において、ＬＥＤ２（ＣＯＭ１−ＳＥＧ２間）に電流が流れて、ＬＥＤ２が階調７（ｇ７）の輝度で点灯する。同様に、ＣＯＭ１制御信号がＨｉｇｈで、かつ、ＳＥＧ３ドライブ信号がＯＮの期間において、ＬＥＤ３（ＣＯＭ１−ＳＥＧ３間）に電流が流れて、ＬＥＤ３が階調５（ｇ５）の輝度で点灯する。
【００２０】  次に、時分割スイッチング制御部１１００は、映像信号点灯期間［Ｂ］（時刻ｔ２〜ｔ３）が経過すると、ＣＯＭ１制御信号をＬｏｗ（Ｌ）に切り替える。これにより、トランジスタＴｒ１はオフになり、非点灯期間［Ａ］（時刻ｔ３〜ｔ４）において全てのトランジスタＴｒ１〜Ｔｒ３がオフとなる。そして、時分割スイッチング制御部１１００は、その非点灯期間［Ａ］（時刻ｔ３〜ｔ４）が経過した後の映像信号点灯期間［Ｂ］（時刻ｔ４〜ｔ５）において、トランジスタＴｒ２をスイッチングするためのＣＯＭ２制御信号をＨｉｇｈにする。これにより、トランジスタＴｒ２はオンになる。このとき、ＬＥＤドライバ回路１４００は、映像信号に応じてＬＥＤ４〜６を制御するためのＳＥＧ１ドライブ信号、ＳＥＧ２ドライブ信号、およびＳＥＧ３ドライブ信号をＯＮに切り替える。これにより、ＣＯＭ２制御信号がＨｉｇｈで、かつ、ＳＥＧ１ドライブ信号がＯＮの期間において、ＬＥＤ４（ＣＯＭ２−ＳＥＧ１間）に電流が流れて、ＬＥＤ４が例えば階調５（ｇ５）の輝度で点灯する。同様に、ＣＯＭ２制御信号がＨｉｇｈで、かつ、ＳＥＧ２ドライブ信号がＯＮの期間において、ＬＥＤ５（ＣＯＭ２−ＳＥＧ２間）に電流が流れて、ＬＥＤ５が例えば階調８（ｇ８）の輝度で点灯する。同様に、ＣＯＭ２制御信号がＨｉｇｈで、かつ、ＳＥＧ３ドライブ信号がＯＮの期間において、ＬＥＤ６（ＣＯＭ２−ＳＥＧ３間）に電流が流れて、ＬＥＤ６が例えば階調６（ｇ６）の輝度で点灯する。
【００２１】  そして、映像表示装置１０００は、トランジスタＴｒ３をスイッチングするためのＣＯＭ３制御信号を用いて、上述と同様の処理を行うことによって、映像信号点灯期間［Ｂ］（時刻ｔ６〜ｔ７）において、ＬＥＤ７〜９を映像信号に応じた階調の輝度で点灯させる。
【００２２】  このように、映像表示装置１０００は、ＣＯＭ１制御信号、ＣＯＭ２制御信号およびＣＯＭ３制御信号などの制御信号がＨｉｇｈであって、かつ、ＳＥＧ１ドライブ信号、ＳＥＧ２ドライブ信号およびＳＥＧ２ドライブ信号などのドライブ信号がＯＮである期間において、その制御信号およびドライブ信号に対応するＬＥＤを点灯させる。
【００２３】  ここで、この映像表示装置１０００が、映像表示だけでなく、可視光信号の送信を行うためには、その可視光信号に応じた輝度変化を各ＬＥＤ１〜９にさせなければなない。しかし、ＬＥＤパネル１３００に表示させる映像に、その可視光信号の輝度を単純に付加する場合には、付加された可視光信号の輝度だけ、１フレームあたりの輝度が増加してしまう。その結果、映像信号によって想定される映像の表示が崩れてしまうという問題がある。
【００２４】  このような問題を解決するために、本開示の一態様に係る映像表示方法は、映像信号および可視光信号を取得する信号取得ステップと、前記可視光信号を変調することにより、輝度変化パターンを決定する決定ステップと、前記映像信号の１フレームを表示するフレーム表示期間の一部の期間である第１の期間において、パネルに含まれる複数の光源のうちの少なくとも１つの光源を、前記輝度変化パターンにしたがって輝度変化させることにより、前記可視光信号を送信する信号送信ステップと、前記フレーム表示期間の一部の期間であって前記第１の期間の後にある第２の期間における、前記映像信号によって示される前記光源の輝度の階調である第２の階調を、前記第１の期間の前記輝度変化パターンによって表現される前記光源の輝度の階調である第１の階調に応じて補正する補正ステップと、前記第２の期間において、補正された前記第２の階調で前記光源を点灯させる映像点灯ステップとを含む。なお、第１の期間および第２の期間は、例えば光ＩＤ点灯期間および映像信号点灯期間であり、光源は例えばＬＥＤである。また、第１の階調は、例えば光ＩＤの階調または補正階調であり、第２の階調は、例えば映像階調である。
【００２５】  例えば、映像を表示するためにパネルに含まれる光源は映像信号にしたがった輝度の階調（第２の階調）で点灯する。しかし、その前に、その光源が輝度変化によって可視光信号を送信していた場合には、映像中のその光源に対応する画素は、強い輝度で点灯しているように見える。その結果、映像信号によって想定される映像の表示が崩れてしまう。しかし、本開示の一態様に係る映像表示方法では、上述のように、第２の階調は、その輝度変化の階調（第１の階調）に応じて補正され、映像を表示するときには、補正された第２の階調で光源が点灯される。したがって、上述のような映像の表示の崩れを抑えることができる。これにより、映像の表示と可視光信号の送信とをそれぞれ適切に行うことができる。
【００２６】  また、前記信号送信ステップでは、前記パネルに含まれる複数の光源のうち、前記映像信号によって示される第２の階調が閾値階調よりも低い光源を、前記第１の期間において点灯させず、前記映像信号によって示される第２の階調が前記閾値階調以上の光源を、前記第１の期間において前記輝度変化パターンにしたがって輝度変化をさせてもよい。
【００２７】  これにより、閾値階調以上の第２の階調が映像信号によって示されている画素のみが、輝度変化パターンにしたがって輝度変化することにより可視光信号を送信するため、上述のような補正が不可能な状態に陥ることを抑制することができる。さらに、パネルは、可視光信号を送信しているときには、その閾値階調によって２値化された画像を表示し、閾値階調を調整することによって、パネルにおける可視光信号を送信する明るい領域を広くしたり、狭くしたりすることができる。例えば、閾値階調を下げることによって、第２の階調が比較的低い、すなわち暗い光源からでも、可視光信号を送信させることができる。
【００２８】  また、前記パネルに含まれる各光源の輝度の階調は、当該光源が点灯する点灯期間に応じて表現され、前記補正ステップでは、前記第２の階調に対応する点灯期間を、前記第１の階調に対応する点灯期間だけ短縮することによって、前記第２の階調を補正し、前記映像点灯ステップでは、前記第２の期間において、短縮された前記第２の階調に対応する点灯期間だけ前記光源を点灯させてもよい。
【００２９】  これにより、ＰＷＭ制御によってパネルの各光源の輝度の階調が調整されるような場合であっても、第２の階調を適切に補正することができる。
【００３０】  例えば、前記信号送信ステップでは、前記第１の期間において、前記光源を、スロット単位で、互いに異なる第１の輝度および第２の輝度のうちの何れかの輝度で点灯させることによって、前記光源を前記輝度変化パターンにしたがって輝度変化せ、前記スロットにおいて前記第１の輝度または第２の輝度で前記光源を点灯させるときには、前記スロットよりも短い時間幅のパルス光を前記光源に繰り返し発生させることによって、前記スロットの期間だけ前記光源を点灯させてもよい。
【００３１】  また、前記閾値階調は、前記第１の階調よりも高くてもよい。例えば、前記閾値階調は、前記第１の階調の略１．５倍以上でもよい。
【００３２】  これにより、第２の階調に対して補正が行われても、その第２の階調が０になることを防ぐことができる。したがて、第１の期間における光源の輝度変化と、第２の期間における光源の点灯とに基づく発光重心を、第２の階調が閾値階調よりも低い場合の発光重心に近づけることができる。その結果、第２の階調が閾値階調周辺でふらつく場合、つまり、第２の階調が閾値階調よりも低くなったり閾値階調以上になったりするようなことを繰り返す場合であっても、発光重心の変動によるちらつきの発生を抑えることができる。
【００３３】  また、前記補正ステップでは、前記第２の期間における複数の時点で、前記光源が点灯する場合には、前記複数の時点のそれぞれの前記第２の階調を補正し、前記映像点灯ステップでは、前記複数の時点のそれぞれで、補正された前記第２の階調で前記光源を点灯させてもよい。
【００３４】  これにより、複数の時点（いわゆるループ）のそれぞれの第２の階調の補正幅を少なくすることができ、補正による映像の表示への影響を抑えることができる。
【００３５】  また、前記補正ステップでは、前記複数の時点のそれぞれの前記第２の階調から、同一の階調を減算することによって、前記複数の時点のそれぞれの前記第２の階調を補正してもよい。
【００３６】  これにより、補正の制御を簡単にすることができる。
【００３７】  また、前記補正ステップでは、前記複数の時点のうちの第１の時点における前記第２の階調から、ｎ階調（ｎは１以上の整数）を減算し、前記複数の時点のうちの前記第１の時点よりも前記第１の期間から遠い第２の時点における前記第２の階調から、ｍ階調（ｍは１以上ｎ未満の整数）を減算することによって、前記第１および第２の時点のそれぞれの前記第２の階調を補正してもよい。
【００３８】  これにより、第１の期間に近い第１の時点における第２の階調からは、ｎ階調が減算され、第１の期間から遠い第２の時点における第２の階調からは、ｎ階調よりも小さいｍ階調が減算される。したがて、第１の期間における光源の輝度変化と、第１および第２の時点における光源の点灯とに基づく発光重心を、第２の階調が閾値階調よりも低い場合の発光重心により近づけることができる。その結果、第２の階調が閾値階調周辺でふらつく場合、つまり、第２の階調が閾値階調よりも低くなったり閾値階調以上になったりするようなことを繰り返す場合であっても、発光重心の変動によるちらつきの発生をさらに抑えることができる。
【００３９】  以下、実施の形態について、図面を参照しながら具体的に説明する。
【００４０】  なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００４１】  （実施の形態）  図３は、本実施の形態における映像表示装置の構成を示すブロック図である。
【００４２】  本実施の形態における映像表示装置１００は、図３に示すように、ＬＥＤ１〜９がマトリクス状に配置されたパネルであるＬＥＤパネル１３０と、スイッチ回路１２０と、時分割スイッチング制御部１１０と、ＬＥＤドライバ回路１４０と、光ＩＤ制御部１５０とを備える。
【００４３】  このような映像表示装置１００は、時分割制御によってＬＥＤパネル１３０のＬＥＤ１〜９の点灯状態を制御することにより、静止画または動画などの映像を表示する。
【００４４】  ＬＥＤパネル１３０は、上述のように、マトリクス状に配置された光源であるＬＥＤ１〜９を備える。このような、ＬＥＤパネル１３０は、ＬＥＤ１〜９が画素として点灯または消灯することによって映像を表示する。なお、図３に示す例では、ＬＥＤパネル１３０は、９個のＬＥＤを備えるが、９個以上のＬＥＤを備えていてもよい。
【００４５】  スイッチ回路１２０は、それぞれスイッチとして用いられる３つのトランジスタＴｒ１〜Ｔｒ３を備える。３つのトランジスタＴｒ１〜Ｔｒ３のベースは、時分割スイッチング制御部１１０に接続される。トランジスタＴｒ１のコレクタ（端子ＣＯＭ１）は、ＬＥＤ１〜３の例えばアノードに接続される。トランジスタＴｒ２のコレクタ（端子ＣＯＭ２）は、ＬＥＤ４〜６の例えばアノードに接続される。トランジスタＴｒ３のコレクタ（端子ＣＯＭ３）は、ＬＥＤ７〜９の例えばアノードに接続される。
【００４６】  光ＩＤ制御部１５０は、可視光信号を取得し、その可視光信号を変調することによって、輝度変化パターンを決定する。そして、光ＩＤ制御部１５０は、その輝度変化パターンを示す信号を時分割スイッチング制御部１１０に対して出力する。なお、可視光信号は、例えば、映像表示装置１００などを識別するためのＩＤを示す。以下、可視光信号を変調することによって決定された輝度変化パターン、またはその輝度変化パターンを示す信号を、光ＩＤと称する。また、光ＩＤ制御部１５０は、その時分割スイッチング制御部１１０に対して出力された光ＩＤに応じて映像信号を補正するための補正信号をＬＥＤドライバ回路１４０に出力する。
【００４７】  時分割スイッチング制御部１１０は、スイッチ回路１２０の各トランジスタＴｒ１〜Ｔｒ３を時分割でオンまたはオフに切り替える。つまり、時分割スイッチング制御部１１０は、トランジスタに出力される制御信号をＨｉｇｈとＬｏｗに切り替えることによって、そのトランジスタをスイッチングする。具体的には、時分割スイッチング制御部１１０は、トランジスタＴｒ１のベースに出力されるＣＯＭ１制御信号をＨｉｇｈとＬｏｗに切り替えることによってそのトランジスタＴｒ１をスイッチングする。同様に、時分割スイッチング制御部１１０は、トランジスタＴｒ２のベースに出力されるＣＯＭ２制御信号をＨｉｇｈとＬｏｗに切り替えることによってそのトランジスタＴｒ２をスイッチングする。同様に、時分割スイッチング制御部１１０は、トランジスタＴｒ３のベースに出力されるＣＯＭ３制御信号をＨｉｇｈとＬｏｗに切り替えることによってそのトランジスタＴｒ３をスイッチングする。なお、制御信号は、図３の例（ＣＯＭ１制御信号〜ＣＯＭ３制御信号）に限られず、トランジスタの数に応じて生成される。
【００４８】  また、時分割スイッチング制御部１１０は、光ＩＤ制御部１５０から光ＩＤを受けると、スイッチ回路１２０のトランジスタＴｒ１〜Ｔｒ３のうちの何れかのトランジスタをその光ＩＤにしたがってスイッチングする。
【００４９】  ＬＥＤドライバ回路１４０は、定電流回路として構成され、例えば３つの端子（端子ＳＥＧ１〜ＳＥＧ３）を備える。端子ＳＥＧ１は、ＬＥＤ１、４および７の例えばカソードに接続し、端子ＳＥＧ２は、ＬＥＤ２、５および８の例えばカソードに接続し、端子ＳＥＧ３は、ＬＥＤ３、６および９の例えばカソードに接続する。
【００５０】  このようなＬＥＤドライバ回路１４０は、映像信号を取得し、その映像信号に応じてドライブ信号をＯＮとＯＦＦとに切り替えることによって、そのドライブ信号に対応する端子に接続されたＬＥＤに流れる電流値を制御する。これにより、ＬＥＤドライバ回路１４０は、そのＬＥＤを映像信号に応じて点灯させる。言い換えれば、ＬＥＤドライバ回路１４０は、ＬＥＤ１〜９のそれぞれを点灯または消灯させるためのスイッチを備える。そして、ＬＥＤドライバ回路１４０は、映像信号に応じてドライブ信号をＯＮとＯＦＦとに切り替えることによってそのスイッチをオンとオフとに切り替え、そのスイッチに対応するＬＥＤを点灯させたり消灯させたりする。
【００５１】  具体的には、ＬＥＤドライバ回路１４０は、映像信号に応じてＳＥＧ１ドライブ信号をＯＦＦからＯＮに切り替える。その結果、そのＳＥＧ１ドライブ信号に対応する端子ＳＥＧ１に接続されたＬＥＤ１、４および７のうち、オンされているトランジスタのコレクタに接続しているＬＥＤに電流が流れて、そのＬＥＤが点灯する。同様に、ＬＥＤドライバ回路１４０は、映像信号に応じてＳＥＧ２ドライブ信号をＯＦＦからＯＮに切り替える。その結果、そのＳＥＧ２ドライブ信号に対応する端子ＳＥＧ２に接続されたＬＥＤ２、５および８のうち、オンされているトランジスタのコレクタに接続しているＬＥＤに電流が流れて、そのＬＥＤが点灯する。同様に、ＬＥＤドライバ回路１４０は、映像信号に応じてＳＥＧ３ドライブ信号をＯＦＦからＯＮに切り替える。その結果、そのＳＥＧ３ドライブ信号に対応する端子ＳＥＧ３に接続されたＬＥＤ３、６および９のうち、オンされているトランジスタのコレクタに接続しているＬＥＤに電流が流れて、そのＬＥＤが点灯する。なお、ドライブ信号は、図３の例（ＳＥＧ１ドライブ信号〜ＳＥＧ３ドライブ信号）に限られず、ＬＥＤの数に応じて生成される。
【００５２】  また、ＬＥＤドライバ回路１４０は、ＬＥＤパネル１３０に含まれる各ＬＥＤの輝度の階調を、そのＬＥＤが点灯する点灯期間に応じて表現する。つまり、ＬＥＤドライバ回路１４０は、各ＬＥＤに対してＰＷＭ制御を行う。これにより、ＬＥＤパネル１３０の各ＬＥＤ１〜９を、映像信号に応じた輝度で点灯させることができる。また、ＬＥＤドライバ回路１４０は、光ＩＤ制御部１５０から補正信号を受けると、映像信号に応じてドライブ信号をＯＮとすべき期間を、その補正信号に応じて短縮する。
【００５３】  図４は、本実施の形態における映像表示装置１００に用いられる各信号のタイミングの一例を示す図である。
【００５４】  例えば、映像信号の１フレームは１６．ｍｓの期間（フレーム表示期間）において表現される。また、このフレーム表示期間は、例えば２つの期間（例えば、８．３ｍｓ）に分割され、それらの２つの期間は、光ＩＤ点灯期間（第１の期間）と映像信号点灯期間（第２の期間）とを含む。フレーム表示期間中の２つの光ＩＤ点灯期間と２つの映像信号点灯期間とにおけるＬＥＤ１〜９の点灯によって１フレームが表現される。なお、フレーム表示期間は、分割されずに、フレーム表示期間中の１つの光ＩＤ点灯期間と１つの映像信号点灯期間とにおけるＬＥＤ１〜９の点灯によって１フレームが表現されてもよい。また、フレーム表示期間は、３つ以上の期間に分割され、それらの３つ以上の期間が、光ＩＤ点灯期間と映像信号点灯期間とを含んでいてもよい。
【００５５】  時分割スイッチング制御部１１０は、Ｖｓｙｎｃ信号（垂直同期信号）と、Ｌａｔｃｈ信号とに基づいて、ＣＯＭ１制御信号、ＣＯＭ２制御信号およびＣＯＭ３制御信号のＨｉｇｈとＬｏｗとを切り替える。なお、図４では、説明を簡単にするために、ＣＯＭ３制御信号を省略している。また、制御信号は３つに制限されず、トランジスタの数に応じた数の制御信号が生成される。
【００５６】  時分割スイッチング制御部１１０は、図４に示すように、光ＩＤ点灯期間において、光ＩＤにしたがってＣＯＭ１制御信号をＨｉｇｈとＬｏｗとに切り替えることによって、トランジスタＴｒ１をスイッチングする。この光ＩＤ点灯期間では、ＬＥＤドライバ回路１４０は、ＳＥＧ１ドライブ信号、ＳＥＧ２ドライブ信号およびＳＥＧ２ドライブ信号をＯＮにする。その結果、ＬＥＤ１〜３を光ＩＤにしたがって輝度変化させて、可視光信号を送信することができる。
【００５７】  ここで、ＬＥＤドライバ回路１４０は、光ＩＤ点灯期間では、映像信号によって示される輝度の階調が閾値階調以上のＬＥＤのみに対して、そのＬＥＤに対応するドライブ信号をＯＮにする。以下、映像信号によって示される輝度の階調を、映像階調（第２の階調）という。したがって、ＬＥＤパネル１３０に含まれる複数のＬＥＤのうち、映像階調が閾値階調以上のＬＥＤのみが、光ＩＤにしたがって輝度変化する。
【００５８】  つまり、ＬＥＤドライバ回路１４０は、ＬＥＤパネル１３０に含まれる複数のＬＥＤのうち、映像信号によって示される第２の階調が閾値階調よりも低いＬＥＤを、第１の期間において点灯させず、映像信号によって示される第２の階調が閾値階調以上のＬＥＤを、第１の期間において輝度変化パターンにしたがって輝度変化をさせる。
【００５９】  その結果、光ＩＤ点灯期間では、閾値階調に応じて２値化された画像（２値化画像）が表示される。
【００６０】  また、時分割スイッチング制御部１１０は、映像信号点灯期間では、所定の周期で、ＣＯＭ１制御信号およびＣＯＭ２制御信号を交互にＨｉｇｈまたはＬｏｗに切り替える時分割制御を行う。映像信号点灯期間では、ＬＥＤドライバ回路１４０は、ＳＥＧ１ドライブ信号、ＳＥＧ２ドライブ信号およびＳＥＧ３ドライブ信号を映像信号に応じてＯＮにする。これにより、Ｈｉｇｈの制御信号に対応するＬＥＤが、映像信号に応じたドライブ信号にしたがって点灯する。その結果、映像信号に応じた映像がＬＥＤパネル１３０に表示される。
【００６１】  ここで、ＬＥＤドライバ回路１４０は、光ＩＤ制御部１５０から補正信号を受けると、映像信号に応じてドライブ信号をＯＮにする期間を、その補正信号に応じた期間だけ短くする。つまり、ＬＥＤドライバ回路１４０は、映像階調（第２の階調）に対応する点灯期間を、第１の階調に対応する点灯期間だけ短縮することによって、映像階調を補正する。なお、第１の階調は、光ＩＤ点灯期間（第１の期間）の輝度変化パターンによって表現されるＬＥＤの輝度の階調である。また、この第１の階調は、補正信号によって示される。そして、ＬＥＤドライバ回路１４０は、映像信号点灯期間（第２の期間）において、短縮された映像階調（第２の階調）に対応する点灯期間だけそのＬＥＤを点灯させる。
【００６２】  これにより、可視光信号の送信によって光ＩＤ点灯期間において輝度の階調が増加した場合であっても、フレーム表示期間における輝度の階調の増加を抑えることができる。その結果、映像表示の崩れを抑えることができる。また、ＰＷＭ制御によってＬＥＤパネル１３０の各ＬＥＤの輝度の階調が調整されるような場合において、映像階調（第２の階調）を適切に補正することができる。
【００６３】  図５は、光ＩＤのスロット幅とパルス幅との関係を示す図である。
【００６４】  光ＩＤは、例えば可視光信号を４値パルス位置変調（４ＰＰＭ）で変調することによって生成される。したがって、光ＩＤは、図５に示すように、１つのシンボルを表現するための４つのスロットのそれぞれでＨｉｇｈまたはＬｏｗを示す。この１つのスロットの幅（スロット幅）は、例えば１０４μｓである。また、ＬＥＤパネル１３０の各ＬＥＤは、時分割スイッチング制御部１１０およびＬＥＤドライバ回路１４０による印加電流によって、例えば５μｓのパルス幅で点灯することができる。つまり、時分割スイッチング制御部１１０およびＬＥＤドライバ回路１４０は、スロット幅よりも十分に短いパルス幅でＬＥＤを点灯させることができる。
【００６５】  つまり、本実施の形態における時分割スイッチング制御部１１０は、光ＩＤ点灯期間（第１の期間）において、ＬＥＤを、スロット単位で、互いに異なる第１の輝度および第２の輝度のうちの何れかの輝度で点灯させることによって、そのＬＥＤを輝度変化パターンにしたがって輝度変化せる。ここで、時分割スイッチング制御部１１０は、スロットにおいて第１の輝度または第２の輝度でそのＬＥＤを点灯させるときには、スロットよりも短い時間幅のパルス光をそのＬＥＤに繰り返し発生させることによって、そのスロットの期間だけＬＥＤを点灯させる。これにより、４ＰＰＭの光ＩＤにおけるデューティー比を任意に設定することができる。
【００６６】  図６は、ＬＥＤパネル１３０の点灯方式を説明するための図である。
【００６７】  ＬＥＤパネル１３０は、上述のように、ＬＥＤ１〜３からなる第１のラインと、ＬＥＤ４〜６からなる第２のラインと、ＬＥＤ７〜９からなる第３のラインとからなる。しかし、本実施の形態におけるＬＥＤパネル１３０は、図６の（ａ）に示すように、複数の奇数ラインと複数の偶数ラインとから構成されていてもよい。複数の奇数ラインはそれぞれ、水平方向に一列に配列された複数のＬＥＤからなり、複数の奇数ラインに含まれる各ＬＥＤは、スイッチ回路１２０内の共通のトランジスタに接続されて、そのトランジスタのＣＯＭ１制御信号によって制御される。同様に、複数の偶数ラインはそれぞれ、水平方向に一列に配列された複数のＬＥＤからなり、複数の偶数ラインに含まれる各ＬＥＤは、スイッチ回路１２０内の共通のトランジスタに接続されて、そのトランジスタのＣＯＭ２制御信号によって制御される。また、奇数ラインは、ＬＥＤパネル１３０の垂直方向の上端から奇数番目のラインであり、偶数ラインは、ＬＥＤパネル１３０の垂直方向の上端から偶数番目のラインである。
【００６８】  例えば、複数の奇数ラインにおける各ＬＥＤのアノードは、スイッチ回路１２０のトランジスタＴｒ１のコレクタ（端子ＣＯＭ１）に接続され、各偶数ラインのＬＥＤのアノードは、スイッチ回路１２０のトランジスタＴｒ２のコレクタ（端子ＣＯＭ２）に接続される。さらに、ＬＥＤパネル１３０の垂直方向に一列に配列された複数のＬＥＤのカソードは、ＬＥＤドライバ回路１４０の同じピン（端子）に接続される。
【００６９】  なお、ＬＥＤパネル１３０の垂直方向に一列に配列された複数のＬＥＤは、ＬＥＤドライバ回路１４０の共通のドライブ信号によって制御される。しかし、奇数ラインの映像信号点灯期間では、図６の（ｂ）に示すように、ＣＯＭ１制御信号がＨｉｇｈであり、ＣＯＭ２制御信号がＬｏｗである。したがって、その垂直方向に配列された複数のＬＥＤのうち、奇数ラインのＬＥＤは、ドライブ信号に応じた輝度で点灯し、偶数ラインのＬＥＤは、点灯しない。
【００７０】  図７Ａは、本実施の形態における映像表示装置１００に用いられる各信号と各電流のタイミングの一例を示す図である。
【００７１】  例えば、映像信号の１フレームを表現するための期間（フレーム表示期間）は、３つの期間に分割され、それらの３つの期間は、光ＩＤ点灯期間［Ａ］と映像信号点灯期間［Ｂ］とを含む。フレーム表示期間中の３つの光ＩＤ点灯期間［Ａ］と３つの映像信号点灯期間［Ｂ］におけるＬＥＤ１〜９の点灯によって１フレームが表現される。
【００７２】  時分割スイッチング制御部１１０は、光ＩＤ点灯期間［Ａ］（時刻ｔ２〜ｔ３）において、ＣＯＭ１制御信号〜ＣＯＭ３制御信号のうち、ＣＯＭ１制御信号のみを、光ＩＤに応じてＨｉｇｈとＬｏｗとに切り替える。このＣＯＭ１制御信号は、トランジスタＴｒ１をオンまたはオフするための制御信号である。その結果、スイッチ回路１２０のうちトランジスタＴｒ１だけが、光ＩＤ点灯期間［Ａ］（時刻ｔ２〜ｔ３）において、光ＩＤにしたがってオンとオフとに切り替わる。
【００７３】  このとき、光ＩＤ点灯期間［Ａ］（時刻ｔ２〜ｔ３）では、ＬＥＤドライバ回路１４０は、ＬＥＤ１〜３を制御するためのＳＥＧ１ドライブ信号、ＳＥＧ２ドライブ信号、およびＳＥＧ３ドライブ信号をＯＮにする。これにより、ＣＯＭ１制御信号がＨｉｇｈで、かつ、ＳＥＧ１ドライブ信号がＯＮの期間において、ＬＥＤ１（ＣＯＭ１−ＳＥＧ１間）に電流が流れて、ＬＥＤ１が点灯する。同様に、ＣＯＭ１制御信号がＨｉｇｈで、かつ、ＳＥＧ２ドライブ信号がＯＮの期間において、ＬＥＤ２（ＣＯＭ１−ＳＥＧ２間）に電流が流れて、ＬＥＤ２が点灯する。同様に、ＣＯＭ１制御信号がＨｉｇｈで、かつ、ＳＥＧ３ドライブ信号がＯＮの期間において、ＬＥＤ３（ＣＯＭ１−ＳＥＧ３間）に電流が流れて、ＬＥＤ３が点灯する。したがって、光ＩＤ点灯期間［Ａ］（時刻ｔ２〜ｔ３）では、ＬＥＤ１〜３は、光ＩＤにしたがって輝度変化することにより、可視光信号を送信する。
【００７４】  このように、本実施の形態における映像表示装置１００は、映像信号の１フレームを表示するフレーム表示期間の一部の期間である第１の期間において、ＬＥＤパネル１３０に含まれる複数のＬＥＤのうちの少なくとも１つの光源を、輝度変化パターンにしたがって輝度変化させることにより、可視光信号を送信する。
【００７５】  さらに、時分割スイッチング制御部１１０は、光ＩＤ点灯期間［Ａ］（時刻ｔ２〜ｔ３）が経過した後の映像信号点灯期間［Ｂ］（時刻ｔ４〜ｔ５）において、ＣＯＭ１制御信号〜ＣＯＭ３制御信号のうち、ＣＯＭ１制御信号のみをＨｉｇｈにする。これにより、トランジスタＴｒ１はオンになる。このとき、ＬＥＤドライバ回路１４０は、映像信号に応じて、ＬＥＤ１〜３を制御するためのＳＥＧ１ドライブ信号、ＳＥＧ２ドライブ信号、およびＳＥＧ３ドライブ信号をＯＮにする。なお、フレーム表示期間における、光ＩＤ点灯期間［Ａ］と、映像信号点灯期間［Ｂ］の順序は、図７Ａの例に限られず、映像信号点灯期間［Ｂ］の後に、光ＩＤ点灯期間［Ａ］が設けられてもよい。
【００７６】  ここで、本実施の形態における光ＩＤ制御部１５０は、映像信号点灯期間［Ｂ］（時刻ｔ４〜ｔ５）における映像信号の輝度の階調を下げるための補正信号を生成する。つまり、光ＩＤ制御部１５０は、直前の光ＩＤ点灯期間［Ａ］（時刻ｔ２〜ｔ３）における光ＩＤを現わすための輝度の階調（第１の階調）だけ、映像信号の輝度の階調を下げるための補正信号を生成する。そして、光ＩＤ制御部１５０は、その補正信号をＬＥＤドライバ回路１４０に出力する。ＬＥＤドライバ回路１４０は、ドライブ信号を用いて、ＬＥＤの輝度をＰＷＭによって制御する。したがって、ＬＥＤドライバ回路１４０は、映像信号点灯期間［Ｂ］（時刻ｔ４〜ｔ５）において、映像信号に応じてドライブ信号をＯＮにする期間を、その補正信号に応じて短くする。
【００７７】  例えば、光ＩＤ点灯期間［Ａ］（時刻ｔ２〜ｔ３）においてＬＥＤ１〜３が、光ＩＤにしたがって階調３の輝度に相当する期間だけ点灯する場合、光ＩＤ制御部１５０は、階調３を示す補正信号をＬＥＤドライバ回路１４０に出力する。なお、補正信号によって示される階調を、以下、補正階調という。ＬＥＤドライバ回路１４０は、映像信号点灯期間［Ｂ］（時刻ｔ４〜ｔ５）において、ＬＥＤ１の映像階調が１０であれば、その映像階調１０から補正階調３を減算する。その結果、ＬＥＤドライバ回路１４０は、映像信号点灯期間［Ｂ］（時刻ｔ４〜ｔ５）において、階調７（映像階調１０−補正階調３）に相当する期間だけ、ＳＥＧ１ドライブ信号をＯＮにする。同様に、ＬＥＤドライバ回路１４０は、映像信号点灯期間［Ｂ］（時刻ｔ４〜ｔ５）において、ＬＥＤ２の映像階調が７であれば、その映像階調７から補正階調３を減算する。その結果、ＬＥＤドライバ回路１４０は、映像信号点灯期間［Ｂ］（時刻ｔ４〜ｔ５）において、階調４（映像階調７−補正階調３）に相当する期間だけ、ＳＥＧ２ドライブ信号をＯＮにする。同様に、ＬＥＤドライバ回路１４０は、映像信号点灯期間［Ｂ］（時刻ｔ４〜ｔ５）において、ＬＥＤ３の映像階調が５であれば、その映像階調５から補正階調３を減算する。その結果、ＬＥＤドライバ回路１４０は、映像信号点灯期間［Ｂ］（時刻ｔ４〜ｔ５）において、階調２（映像階調５−補正階調３）に相当する期間だけ、ＳＥＧ３ドライブ信号をＯＮにする。
【００７８】  このように、本実施の形態におけるＬＥＤドライバ回路１４０は、フレーム表示期間の一部の期間であって光ＩＤ点灯期間（第１の期間）の後にある映像信号点灯期間（第２の期間）における、映像信号によって示されるＬＥＤの輝度の階調である映像階調（第２の階調）を、光ＩＤ点灯期間の輝度変化パターンによって表現されるＬＥＤの輝度の階調である第１の階調に応じて補正する。なお、映像信号点灯期間（第２の期間）の後に、光ＩＤ点灯期間（第１の期間）が設けてもよい。この場合においても、映像信号によって示されるＬＥＤの輝度の階調である映像階調（第２の階調）を、光ＩＤ点灯期間の輝度変化パターンによって表現されるＬＥＤの輝度の階調である第１の階調に応じて補正する。
【００７９】  これにより、ＣＯＭ１制御信号がＨｉｇｈで、かつ、ＳＥＧ１ドライブ信号がＯＮの期間において、ＬＥＤ１（ＣＯＭ１−ＳＥＧ１間）に電流が流れて、ＬＥＤ１は階調７（ｇ７）の輝度で点灯する。同様に、ＣＯＭ１制御信号がＨｉｇｈで、かつ、ＳＥＧ２ドライブ信号がＯＮの期間において、ＬＥＤ２（ＣＯＭ１−ＳＥＧ２間）に電流が流れて、ＬＥＤ２は階調４（ｇ４）の輝度で点灯する。同様に、ＣＯＭ１制御信号がＨｉｇｈで、かつ、ＳＥＧ３ドライブ信号がＯＮの期間において、ＬＥＤ３（ＣＯＭ１−ＳＥＧ３間）に電流が流れて、ＬＥＤ３は階調２（ｇ２）の輝度で点灯する。
【００８０】  このように、本実施の形態におけるＬＥＤドライバ回路１４０は、映像信号点灯期間（第２の期間）において、補正された映像階調（第２の階調）でＬＥＤを点灯させる。
【００８１】  なお、本実施の形態における映像表示装置１００は、ＰＷＭ制御によって、ＬＥＤに電流が流れる期間を長くすることによって、そのＬＥＤの輝度の階調を高め、ＬＥＤに電流が流れる期間を短くすることによって、そのＬＥＤの輝度の階調を下げる。
【００８２】  映像表示装置１００は、この映像信号点灯期間［Ｂ］（時刻ｔ４〜ｔ５）が経過した後の、光ＩＤ点灯期間［Ａ］（時刻ｔ６〜ｔ７）および映像信号点灯期間［Ｂ］（時刻ｔ８〜ｔ９）においても、上述と同様の処理を行う。
【００８３】  具体的には、時分割スイッチング制御部１１０は、光ＩＤ点灯期間［Ａ］（時刻ｔ６〜ｔ７）では、ＣＯＭ１制御信号〜ＣＯＭ３制御信号のうち、ＣＯＭ２制御信号のみを、光ＩＤに応じてＨｉｇｈとＬｏｗとに切り替える。このＣＯＭ２制御信号は、トランジスタＴｒ２をオンまたはオフするための制御信号である。その結果、スイッチ回路１２０のうちトランジスタＴｒ２だけが、光ＩＤ点灯期間［Ａ］（時刻ｔ６〜ｔ７）において、光ＩＤにしたがってオンとオフとに切り替わる。
【００８４】  このとき、光ＩＤ点灯期間［Ａ］（時刻ｔ６〜ｔ７）では、ＬＥＤドライバ回路１４０は、ＬＥＤ４〜６を制御するためのＳＥＧ１ドライブ信号、ＳＥＧ２ドライブ信号、およびＳＥＧ３ドライブ信号をＯＮにする。これにより、ＣＯＭ２制御信号がＨｉｇｈで、かつ、ＳＥＧ１ドライブ信号がＯＮの期間において、ＬＥＤ４（ＣＯＭ２−ＳＥＧ１間）に電流が流れて、ＬＥＤ４が点灯する。同様に、ＣＯＭ２制御信号がＨｉｇｈで、かつ、ＳＥＧ２ドライブ信号がＯＮの期間において、ＬＥＤ５（ＣＯＭ２−ＳＥＧ２間）に電流が流れて、ＬＥＤ５が点灯する。同様に、ＣＯＭ２制御信号がＨｉｇｈで、かつ、ＳＥＧ３ドライブ信号がＯＮの期間において、ＬＥＤ６（ＣＯＭ２−ＳＥＧ３間）に電流が流れて、ＬＥＤ６が点灯する。したがって、光ＩＤ点灯期間［Ａ］（時刻ｔ６〜ｔ７）では、ＬＥＤ４〜６は、光ＩＤにしたがって輝度変化することにより、可視光信号を送信する。
【００８５】  さらに、時分割スイッチング制御部１１０は、光ＩＤ点灯期間［Ａ］（時刻ｔ６〜ｔ７）が経過した後の映像信号点灯期間［Ｂ］（時刻ｔ８〜ｔ９）において、ＣＯＭ１制御信号〜ＣＯＭ３制御信号のうち、ＣＯＭ２制御信号のみをＨｉｇｈにする。これにより、トランジスタＴｒ２はオンになる。このとき、ＬＥＤドライバ回路１４０は、映像信号に応じて、ＬＥＤ４〜６を制御するためのＳＥＧ１ドライブ信号、ＳＥＧ２ドライブ信号、およびＳＥＧ３ドライブ信号をＯＮにする。
【００８６】  ここで、本実施の形態における光ＩＤ制御部１５０は、上述と同様に、映像信号点灯期間［Ｂ］（時刻ｔ８〜ｔ９）における映像信号の輝度の階調を下げるための補正信号を生成する。つまり、光ＩＤ制御部１５０は、直前の光ＩＤ点灯期間［Ａ］（時刻ｔ６〜ｔ７）における光ＩＤを表すための輝度の階調だけ、映像信号の輝度の階調を下げるための補正信号を生成する。そして、光ＩＤ制御部１５０は、その補正信号をＬＥＤドライバ回路１４０に出力する。ＬＥＤドライバ回路１４０は、ドライブ信号を用いて、ＬＥＤの輝度をＰＷＭによって制御する。したがって、ＬＥＤドライバ回路１４０は、映像信号点灯期間［Ｂ］（時刻ｔ８〜ｔ９）において、映像信号に応じてドライブ信号をＯＮにする期間を、その補正信号に応じて短くする。
【００８７】  例えば、光ＩＤ点灯期間［Ａ］（時刻ｔ６〜ｔ７）においてＬＥＤ４〜６が光ＩＤにしたがって階調３の輝度に相当する期間だけ点灯する場合、光ＩＤ制御部１５０は、補正階調３を示す補正信号をＬＥＤドライバ回路１４０に出力する。ＬＥＤドライバ回路１４０は、映像信号点灯期間［Ｂ］（時刻ｔ８〜ｔ９）において、ＬＥＤ４の映像階調が５であれば、その映像階調５から補正階調３を減算する。その結果、ＬＥＤドライバ回路１４０は、映像信号点灯期間［Ｂ］（時刻ｔ８〜ｔ９）において、階調２（映像階調５−補正階調３）に相当する期間だけ、ＳＥＧ１ドライブ信号をＯＮにする。同様に、ＬＥＤドライバ回路１４０は、映像信号点灯期間［Ｂ］（時刻ｔ８〜ｔ９）において、ＬＥＤ５の映像階調が８であれば、その映像階調８から補正階調３を減算する。その結果、ＬＥＤドライバ回路１４０は、映像信号点灯期間［Ｂ］（時刻ｔ８〜ｔ９）において、階調５（映像階調８−補正階調３）に相当する期間だけ、ＳＥＧ２ドライブ信号をＯＮにする。同様に、ＬＥＤドライバ回路１４０は、映像信号点灯期間［Ｂ］（時刻ｔ８〜ｔ９）において、ＬＥＤ６の映像階調が６であれば、その映像階調６から補正階調３を減算する。その結果、ＬＥＤドライバ回路１４０は、映像信号点灯期間［Ｂ］（時刻ｔ８〜ｔ９）において、階調３（映像階調６−補正階調３）に相当する期間だけ、ＳＥＧ３ドライブ信号をＯＮにする。
【００８８】  これにより、ＣＯＭ２制御信号がＨｉｇｈで、かつ、ＳＥＧ１ドライブ信号がＯＮの期間において、ＬＥＤ４（ＣＯＭ２−ＳＥＧ１間）に電流が流れて、ＬＥＤ４は階調２（ｇ２）の輝度で点灯する。同様に、ＣＯＭ２制御信号がＨｉｇｈで、かつ、ＳＥＧ２ドライブ信号がＯＮの期間において、ＬＥＤ５（ＣＯＭ２−ＳＥＧ２間）に電流が流れて、ＬＥＤ５は階調５（ｇ５）の輝度で点灯する。同様に、ＣＯＭ２制御信号がＨｉｇｈで、かつ、ＳＥＧ３ドライブ信号がＯＮの期間において、ＬＥＤ６（ＣＯＭ２−ＳＥＧ３間）に電流が流れて、ＬＥＤ６は階調３（ｇ３）の輝度で点灯する。
【００８９】  映像表示装置１００は、この映像信号点灯期間［Ｂ］（時刻ｔ８〜ｔ９）が経過した後の、光ＩＤ点灯期間［Ａ］（時刻ｔ１０〜ｔ１１）および映像信号点灯期間［Ｂ］（時刻ｔ１２〜ｔ１３）においても、上述と同様の処理を行う。
【００９０】  ただし、本実施の形態では、ＬＥＤドライバ回路１４０は、ＬＥＤの映像階調（第２の階調）が補正階調（第１の階調）よりも低い場合には、光ＩＤ点灯期間において、そのＬＥＤに対応するドライブ信号をＯＮにせずに、ＯＦＦにする。つまり、ＬＥＤドライバ回路１４０は、可視光信号を送信するための輝度変化をそのＬＥＤにさせない。さらに、ＬＥＤドライバ回路１４０は、映像信号点灯期間において、補正信号に応じた補正をそのＬＥＤの映像階調に対して行わない。つまり、ＬＥＤドライバ回路１４０は、そのＬＥＤに対応するドライブ信号を映像信号に応じてＯＮにする期間を、補正信号にしたがって補正することを行わない。
【００９１】  具体的には、時分割スイッチング制御部１１０は、光ＩＤ点灯期間［Ａ］（時刻ｔ１０〜ｔ１１）では、ＣＯＭ１制御信号〜ＣＯＭ３制御信号のうち、ＣＯＭ３制御信号のみを、光ＩＤに応じてＨｉｇｈとＬｏｗとに切り替える。このＣＯＭ３制御信号は、トランジスタＴｒ３をオンまたはオフするための制御信号である。その結果、スイッチ回路１２０のうちトランジスタＴｒ３だけが、光ＩＤ点灯期間［Ａ］（時刻ｔ１０〜ｔ１１）において、光ＩＤにしたがってオンとオフとに切り替わる。
【００９２】  このとき、つまり光ＩＤ点灯期間［Ａ］（時刻ｔ１０〜ｔ１１）では、ＬＥＤドライバ回路１４０は、ＬＥＤ７およびＬＥＤ８を制御するためのＳＥＧ１ドライブ信号およびＳＥＧ２ドライブ信号をＯＮする。
【００９３】  一方、ＬＥＤドライバ回路１４０は、ＬＥＤ９を制御するためのＳＥＧ３ドライブ信号をＯＦＦにする。ＬＥＤドライバ回路１４０は、ＬＥＤ９の映像階調（例えば階調２）が補正階調（例えば階調３）よりも低いため、上述のように、ＬＥＤ９を制御するためのＳＥＧ３ドライブ信号をＯＦＦにする。
【００９４】  これにより、ＣＯＭ３制御信号がＨｉｇｈで、かつ、ＳＥＧ１ドライブ信号がＯＮの期間において、ＬＥＤ７（ＣＯＭ３−ＳＥＧ１間）に電流が流れて、ＬＥＤ７が点灯する。同様に、ＣＯＭ３制御信号がＨｉｇｈで、かつ、ＳＥＧ２ドライブ信号がＯＮの期間において、ＬＥＤ８（ＣＯＭ３−ＳＥＧ２間）に電流が流れて、ＬＥＤ８が点灯する。したがって、光ＩＤ点灯期間［Ａ］（時刻ｔ１０〜ｔ１１）では、ＬＥＤ７〜９のうちのＬＥＤ７および８のみが、光ＩＤにしたがって輝度変化することにより、可視光信号を送信する。
【００９５】  さらに、時分割スイッチング制御部１１０は、光ＩＤ点灯期間［Ａ］（時刻ｔ１０〜ｔ１１）が経過した後の映像信号点灯期間［Ｂ］（時刻ｔ１２〜ｔ１３）において、ＣＯＭ１制御信号〜ＣＯＭ３制御信号のうち、ＣＯＭ３制御信号のみをＨｉｇｈにする。これにより、トランジスタＴｒ３はオンになる。このとき、ＬＥＤドライバ回路１４０は、映像信号に応じて、ＬＥＤ７〜９を制御するためのＳＥＧ１ドライブ信号、ＳＥＧ２ドライブ信号、およびＳＥＧ３ドライブ信号をＯＮにする。
【００９６】  ここで、本実施の形態における光ＩＤ制御部１５０は、上述と同様に、映像信号点灯期間［Ｂ］（時刻ｔ１２〜ｔ１３）における映像信号の輝度の階調を下げるための補正信号を生成する。つまり、光ＩＤ制御部１５０は、直前の光ＩＤ点灯期間［Ａ］（時刻ｔ１０〜ｔ１１）における光ＩＤを現わすための輝度の階調だけ、映像信号の輝度の階調を下げるための補正信号を生成する。そして、光ＩＤ制御部１５０は、その補正信号をＬＥＤドライバ回路１４０に出力する。ＬＥＤドライバ回路１４０は、ドライブ信号を用いて、ＬＥＤの輝度をＰＷＭによって制御する。したがって、ＬＥＤドライバ回路１４０は、映像信号点灯期間［Ｂ］（時刻ｔ１２〜ｔ１３）において、映像信号に応じてドライブ信号をＯＮにする期間を、その補正信号に応じて短くする。
【００９７】  例えば、光ＩＤ点灯期間［Ａ］（時刻ｔ１０〜ｔ１１）においてＬＥＤ７〜８が光ＩＤにしたがって階調３の輝度に相当する期間だけ点灯する場合、光ＩＤ制御部１５０は、補正階調３を示す補正信号をＬＥＤドライバ回路１４０に出力する。ＬＥＤドライバ回路１４０は、映像信号点灯期間［Ｂ］（時刻ｔ１２〜ｔ１３）において、ＬＥＤ７の映像階調が７であれば、その映像階調７から補正階調３を減算する。その結果、ＬＥＤドライバ回路１４０は、映像信号点灯期間［Ｂ］（時刻ｔ１２〜ｔ１３）において、階調４（映像階調７−補正階調３）に相当する期間だけ、ＳＥＧ１ドライブ信号をＯＮにする。同様に、ＬＥＤドライバ回路１４０は、映像信号点灯期間［Ｂ］（時刻ｔ１２〜ｔ１３）において、ＬＥＤ８の映像階調が５であれば、その映像階調５から補正階調３を減算する。その結果、ＬＥＤドライバ回路１４０は、映像信号点灯期間［Ｂ］（時刻ｔ１２〜ｔ１３）において、階調２（映像階調５−補正階調３）に相当する期間だけ、ＳＥＧ２ドライブ信号をＯＮにする。
【００９８】  一方、ＬＥＤドライバ回路１４０は、映像信号点灯期間［Ｂ］（時刻ｔ１２〜ｔ１３）において、ＬＥＤ９の映像階調が２であれば、その映像階調２は補正階調３よりも低いと判断する。このとき、ＬＥＤドライバ回路１４０は、映像信号点灯期間［Ｂ］（時刻ｔ１２〜ｔ１３）において、ＬＥＤ９の映像階調２に相当する期間だけ、ＳＥＧ３ドライブ信号をＯＮにする。つまり、ＬＥＤドライバ回路１４０は、映像信号点灯期間において、映像信号に応じてドライブ信号をＯＮにする期間を、補正信号にしたがって補正しない。
【００９９】  これにより、ＣＯＭ３制御信号がＨｉｇｈで、かつ、ＳＥＧ１ドライブ信号がＯＮの期間において、ＬＥＤ７（ＣＯＭ３−ＳＥＧ１間）に電流が流れて、ＬＥＤ７は階調４（ｇ４）の輝度で点灯する。同様に、ＣＯＭ３制御信号がＨｉｇｈで、かつ、ＳＥＧ２ドライブ信号がＯＮの期間において、ＬＥＤ８（ＣＯＭ３−ＳＥＧ２間）に電流が流れて、ＬＥＤ８は階調２（ｇ２）の輝度で点灯する。同様に、ＣＯＭ３制御信号がＨｉｇｈで、かつ、ＳＥＧ３ドライブ信号がＯＮの期間において、ＬＥＤ９（ＣＯＭ３−ＳＥＧ３間）に電流が流れて、ＬＥＤ９は階調２（ｇ２）の輝度で点灯する。
【０１００】  このように、本実施の形態における映像表示方法では、映像信号および可視光信号を取得する信号取得ステップと、その可視光信号を変調することにより、輝度変化パターンを決定する決定ステップと、映像信号の１フレームを表示するフレーム表示期間の一部の期間である第１の期間において、パネルに含まれる複数の光源のうちの少なくとも１つの光源を、その輝度変化パターンにしたがって輝度変化させることにより、可視光信号を送信する信号送信ステップと、そのフレーム表示期間の一部の期間であって第１の期間の後にある第２の期間における、映像信号によって示される光源の輝度の階調である第２の階調を、第１の期間の輝度変化パターンによって表現される光源の輝度の階調である第１の階調に応じて補正する補正ステップと、第２の期間において、補正された第２の階調で光源を点灯させる映像点灯ステップとを含む。
【０１０１】  これにより、第２の階調は、第１の階調に応じて補正され、映像を表示するときには、補正された第２の階調で光源が点灯される。したがって、上述のような映像の表示の崩れを抑えることができる。これにより、映像の表示と可視光信号の送信とをそれぞれ適切に行うことができる。
【０１０２】  また、上述のように、本実施の形態では、ＬＥＤの映像階調が補正階調よりも低い場合には、そのＬＥＤを光ＩＤにしたがって輝度変化させない。つまり、ＬＥＤの映像階調が、閾値階調よりも低い場合には、そのＬＥＤからは可視光信号が送信されない。
【０１０３】  言い換えれば、本実施の形態における映像表示装置１００は、光ＩＤ点灯期間では、映像信号によって示される映像を、上述の閾値階調を用いて２値化する。そして、映像表示装置１００は、ＬＥＤパネル１３０に含まれる複数のＬＥＤのうち、その２値化された映像の明るい領域にある各ＬＥＤのみを、光ＩＤにしたがって輝度変化させる。
【０１０４】  図７Ｂは、図７Ａに示す例に適用されるスロット幅とパルス幅との関係を示す図である。
【０１０５】  映像表示装置１００が図７Ａに示すタイミングにしたがって各信号および各電流を制御する場合においても、時分割スイッチング制御部１１０は、図５に示す例と同様に、ＬＥＤを点灯させてもよい。つまり、時分割スイッチング制御部１１０は、図７Ｂに示すように、例えばＣＯＭ１制御信号をＨｉｇｈとＬｏｗとに切り替えることにより、そのＣＯＭ１制御信号に対応するＬＥＤを点灯させる。このとき、時分割スイッチング制御部１１０は、スロットよりも短い時間幅のパルス光をそのＬＥＤに繰り返し発生させることによって、そのスロットの期間だけＬＥＤを点灯させる。これにより、４ＰＰＭの光ＩＤにおけるデューティー比を任意に設定することができる。なお、時分割スイッチング制御部１１０は、ＣＯＭ２制御信号およびＣＯＭ３制御信号に対しても、ＣＯＭ１制御信号と同様の切り替えを行う。
【０１０６】  図８は、映像信号によって示される映像の２値化を示す図である。
【０１０７】  例えば、映像信号によって示される映像Ｐ１は、閾値階調Ａを用いて２値化されると、明るい領域と暗い領域とで構成される映像Ｐ２が生成される。また、映像信号によって示される映像Ｐ１は、閾値階調Ａよりも低い閾値階調Ｂを用いて２値化されると、明るい領域と暗い領域とで構成される映像Ｐ３が生成される。ここで、閾値階調Ａ＞閾値階調Ｂであるため、映像Ｐ２の明るい領域は、映像Ｐ３の明るい領域よりも狭い。ＬＥＤパネル１３０に含まれる複数のＬＥＤのうち、映像Ｐ２または映像Ｐ３のそれぞれの明るい領域にある各ＬＥＤのみが、光ＩＤにしたがって輝度変化することによって、可視光信号を送信する。
【０１０８】  したがって、光ＩＤ制御部１５０は、閾値階調を調整することによって、ＬＥＤパネル１３０において可視光信号を送信する領域の大きさを変化させることができる。例えば、閾値階調を下げることによって、比較的暗い画素（ＬＥＤ）からでも可視光信号を送信することができる。
【０１０９】  なお、本実施の形態のＬＥＤドライバ回路１４０は電流値を制御する電流制御回路である必要はない。例えば電圧値を制御する電圧制御回路であっても良い。
【０１１０】  ここで、上述の例では、映像表示装置１００は、光ＩＤにしたがって制御信号のＨｉｇｈとＬｏｗとを切り替えたが、光ＩＤにしたがってドライブ信号のＯＮとＯＦＦとを切り替えてもよい。
【０１１１】  図９Ａは、本実施の形態における映像表示装置１００に用いられる各信号と各電流のタイミングの他の例を示す図である。この例では、光ＩＤ制御部１５０は、光ＩＤおよび補正信号をＬＥＤドライバ回路１４０に出力する。
【０１１２】  時分割スイッチング制御部１１０は、光ＩＤ点灯期間［Ａ］（時刻ｔ２〜ｔ３）において、ＣＯＭ１制御信号〜ＣＯＭ３制御信号のうち、ＣＯＭ１制御信号のみをＨｉｇｈにする。その結果、スイッチ回路１２０のうちトランジスタＴｒ１だけが、光ＩＤ点灯期間［Ａ］（時刻ｔ２〜ｔ３）においてオンになる。
【０１１３】  このとき、光ＩＤ点灯期間［Ａ］（時刻ｔ２〜ｔ３）では、ＬＥＤドライバ回路１４０は、ＬＥＤ１〜３を制御するためのＳＥＧ１ドライブ信号、ＳＥＧ２ドライブ信号、およびＳＥＧ３ドライブ信号のＯＮとＯＦＦとを、光ＩＤに応じて切り替える。これにより、ＣＯＭ１制御信号がＨｉｇｈで、かつ、ＳＥＧ１ドライブ信号がＯＮの期間において、ＬＥＤ１（ＣＯＭ１−ＳＥＧ１間）に電流が流れて、ＬＥＤ１が点灯する。同様に、ＣＯＭ１制御信号がＨｉｇｈで、かつ、ＳＥＧ２ドライブ信号がＯＮの期間において、ＬＥＤ２（ＣＯＭ１−ＳＥＧ２間）に電流が流れて、ＬＥＤ２が点灯する。同様に、ＣＯＭ１制御信号がＨｉｇｈで、かつ、ＳＥＧ３ドライブ信号がＯＮの期間において、ＬＥＤ３（ＣＯＭ１−ＳＥＧ３間）に電流が流れて、ＬＥＤ３が点灯する。したがって、光ＩＤ点灯期間［Ａ］（時刻ｔ２〜ｔ３）では、ＬＥＤ１〜３は、光ＩＤにしたがって輝度変化することにより、可視光信号を送信する。
【０１１４】  さらに、時分割スイッチング制御部１１０は、光ＩＤ点灯期間［Ａ］（時刻ｔ２〜ｔ３）に続く映像信号点灯期間［Ｂ］（時刻ｔ３〜ｔ４）においても、ＣＯＭ１制御信号〜ＣＯＭ３制御信号のうち、ＣＯＭ１制御信号のみをＨｉｇｈにする。これにより、トランジスタＴｒ１は引き続きオンになる。このとき、ＬＥＤドライバ回路１４０は、映像信号に応じて、ＬＥＤ１〜３を制御するためのＳＥＧ１ドライブ信号、ＳＥＧ２ドライブ信号、およびＳＥＧ３ドライブ信号をＯＮにする。
【０１１５】  ここで、本実施の形態における光ＩＤ制御部１５０は、図７Ａに示す例と同様、映像信号点灯期間［Ｂ］（時刻ｔ３〜ｔ４）における映像信号の輝度の階調を下げるための補正信号を生成する。つまり、光ＩＤ制御部１５０は、直前の光ＩＤ点灯期間［Ａ］（時刻ｔ２〜ｔ３）における光ＩＤを現わすための輝度の階調（第１の階調）だけ、映像信号の輝度の階調を下げるための補正信号を生成する。そして、光ＩＤ制御部１５０は、その補正信号をＬＥＤドライバ回路１４０に出力する。ＬＥＤドライバ回路１４０は、ドライブ信号を用いて、ＬＥＤの輝度をＰＷＭによって制御する。したがって、ＬＥＤドライバ回路１４０は、映像信号点灯期間［Ｂ］（時刻ｔ３〜ｔ４）において、映像信号に応じてドライブ信号をＯＮにする期間を、その補正信号に応じて短くする。
【０１１６】  これにより、ＣＯＭ１制御信号がＨｉｇｈで、かつ、ＳＥＧ１ドライブ信号がＯＮの期間において、ＬＥＤ１（ＣＯＭ１−ＳＥＧ１間）に電流が流れて、ＬＥＤ１が階調７（ｇ７）の輝度で点灯する。同様に、ＣＯＭ１制御信号がＨｉｇｈで、かつ、ＳＥＧ２ドライブ信号がＯＮの期間において、ＬＥＤ２（ＣＯＭ１−ＳＥＧ２間）に電流が流れて、ＬＥＤ２は階調４（ｇ４）の輝度で点灯する。同様に、ＣＯＭ１制御信号がＨｉｇｈで、かつ、ＳＥＧ３ドライブ信号がＯＮの期間において、ＬＥＤ３（ＣＯＭ１−ＳＥＧ３間）に電流が流れて、ＬＥＤ３は階調２（ｇ２）の輝度で点灯する。
【０１１７】  映像表示装置１００は、この映像信号点灯期間［Ｂ］（時刻ｔ３〜ｔ４）が経過した後の、光ＩＤ点灯期間［Ａ］（時刻ｔ５〜ｔ６）および映像信号点灯期間［Ｂ］（時刻ｔ６〜ｔ７）においても、上述と同様の処理を行う。また、映像表示装置１００は、映像信号点灯期間［Ｂ］（時刻ｔ６〜ｔ７）が経過した後の、光ＩＤ点灯期間［Ａ］（時刻ｔ８〜ｔ９）および映像信号点灯期間［Ｂ］（時刻ｔ９〜ｔ１０）においても、上述と同様の処理を行う。
【０１１８】  ただし、本実施の形態では、ＬＥＤドライバ回路１４０は、図７Ａに示す例と同様、ＬＥＤの映像階調が補正階調よりも低い場合には、光ＩＤ点灯期間において、そのＬＥＤに対応するドライブ信号をＯＮにせずに、ＯＦＦにする。つまり、ＬＥＤドライバ回路１４０は、可視光信号を送信するための輝度変化をそのＬＥＤにさせない。さらに、ＬＥＤドライバ回路１４０は、映像信号点灯期間において、補正信号に応じた補正をそのＬＥＤの映像階調に対して行わない。つまり、ＬＥＤドライバ回路１４０は、そのＬＥＤに対応するドライブ信号を映像信号に応じてＯＮにする期間を、補正信号にしたがって補正することを行わない。
【０１１９】  具体的には、時分割スイッチング制御部１１０は、光ＩＤ点灯期間［Ａ］（時刻ｔ８〜ｔ９）では、ＣＯＭ１制御信号〜ＣＯＭ３制御信号のうち、ＣＯＭ３制御信号のみをＨｉｇｈにする。その結果、スイッチ回路１２０のうちトランジスタＴｒ３だけが、光ＩＤ点灯期間［Ａ］（時刻ｔ８〜ｔ９）においてオンになる。
【０１２０】  このとき、つまり光ＩＤ点灯期間［Ａ］（時刻ｔ８〜ｔ９）では、ＬＥＤドライバ回路１４０は、ＬＥＤ７およびＬＥＤ８を制御するためのＳＥＧ１ドライブ信号およびＳＥＧ２ドライブ信号のＯＮとＯＦＦとを、光ＩＤに応じて切り替える。一方、ＬＥＤドライバ回路１４０は、ＬＥＤ９を制御するためのＳＥＧ３ドライブ信号をＯＦＦにする。ＬＥＤドライバ回路１４０は、ＬＥＤ９の映像階調（例えば階調２）が補正階調（例えば階調３）よりも低いため、上述のように、ＬＥＤ９を制御するためのＳＥＧ３ドライブ信号をＯＦＦにする。
【０１２１】  これにより、ＣＯＭ３制御信号がＨｉｇｈで、かつ、ＳＥＧ１ドライブ信号がＯＮの期間において、ＬＥＤ７（ＣＯＭ３−ＳＥＧ１間）に電流が流れて、ＬＥＤ７が点灯する。同様に、ＣＯＭ３制御信号がＨｉｇｈで、かつ、ＳＥＧ２ドライブ信号がＯＮの期間において、ＬＥＤ８（ＣＯＭ３−ＳＥＧ２間）に電流が流れて、ＬＥＤ８が点灯する。したがって、光ＩＤ点灯期間［Ａ］（時刻ｔ８〜ｔ９）では、ＬＥＤ７〜９のうちのＬＥＤ７および８のみが、光ＩＤにしたがって輝度変化することにより、可視光信号を送信する。
【０１２２】  さらに、時分割スイッチング制御部１１０は、光ＩＤ点灯期間［Ａ］（時刻ｔ８〜ｔ９）に続く映像信号点灯期間［Ｂ］（時刻ｔ９〜ｔ１０）においても、ＣＯＭ１制御信号〜ＣＯＭ３制御信号のうち、ＣＯＭ３制御信号のみをＨｉｇｈにする。これにより、トランジスタＴｒ３は引き続きオンになる。このとき、ＬＥＤドライバ回路１４０は、映像信号に応じて、ＬＥＤ７〜９を制御するためのＳＥＧ１ドライブ信号、ＳＥＧ２ドライブ信号、およびＳＥＧ３ドライブ信号をＯＮにする。
【０１２３】  ここで、本実施の形態における光ＩＤ制御部１５０は、直前の光ＩＤ点灯期間［Ａ］（時刻ｔ８〜ｔ９）における光ＩＤを現わすための輝度の階調だけ、映像信号の輝度の階調を下げるための補正信号を生成する。そして、光ＩＤ制御部１５０は、その補正信号をＬＥＤドライバ回路１４０に出力する。ＬＥＤドライバ回路１４０は、映像信号点灯期間［Ｂ］（時刻ｔ９〜ｔ１０）において、映像信号に応じてドライブ信号をＯＮにする期間を、その補正信号に応じて短くする。
【０１２４】  例えば、光ＩＤ点灯期間［Ａ］（時刻ｔ８〜ｔ９）においてＬＥＤ７および８が光ＩＤにしたがって階調３の輝度に相当する期間だけ点灯する場合、光ＩＤ制御部１５０は、補正階調３を示す補正信号をＬＥＤドライバ回路１４０に出力する。ＬＥＤドライバ回路１４０は、映像信号点灯期間［Ｂ］（時刻ｔ９〜ｔ１０）において、ＬＥＤ７の映像階調が７であれば、その映像階調７から補正階調３を減算する。その結果、ＬＥＤドライバ回路１４０は、映像信号点灯期間［Ｂ］（時刻ｔ９〜ｔ１０）において、階調４（映像階調７−補正階調３）に相当する期間だけ、ＳＥＧ１ドライブ信号をＯＮにする。同様に、ＬＥＤドライバ回路１４０は、映像信号点灯期間［Ｂ］（時刻ｔ９〜ｔ１０）において、ＬＥＤ８の映像階調が５であれば、その映像階調５から補正階調３を減算する。その結果、ＬＥＤドライバ回路１４０は、映像信号点灯期間［Ｂ］（時刻ｔ９〜ｔ１０）において、階調２（映像階調５−補正階調３）に相当する期間だけ、ＳＥＧ２ドライブ信号をＯＮにする。
【０１２５】  一方、ＬＥＤドライバ回路１４０は、映像信号点灯期間［Ｂ］（時刻ｔ９〜ｔ１０）において、ＬＥＤ９の映像階調が２であれば、その映像階調２は補正階調３よりも低いと判断する。このとき、ＬＥＤドライバ回路１４０は、映像信号点灯期間［Ｂ］（時刻ｔ９〜ｔ１０）において、ＬＥＤ９の映像階調２に相当する期間だけ、ＳＥＧ３ドライブ信号をＯＮにする。つまり、ＬＥＤドライバ回路１４０は、映像信号点灯期間において、映像信号に応じてドライブ信号をＯＮにする期間を、補正信号にしたがって補正しない。
【０１２６】  これにより、ＣＯＭ３制御信号がＨｉｇｈで、かつ、ＳＥＧ１ドライブ信号がＯＮの期間において、ＬＥＤ７（ＣＯＭ３−ＳＥＧ１間）に電流が流れて、ＬＥＤ７は階調４（ｇ４）の輝度で点灯する。同様に、ＣＯＭ３制御信号がＨｉｇｈで、かつ、ＳＥＧ２ドライブ信号がＯＮの期間において、ＬＥＤ８（ＣＯＭ３−ＳＥＧ２間）に電流が流れて、ＬＥＤ８は階調２（ｇ２）の輝度で点灯する。同様に、ＣＯＭ３制御信号がＨｉｇｈで、かつ、ＳＥＧ３ドライブ信号がＯＮの期間において、ＬＥＤ９（ＣＯＭ３−ＳＥＧ３間）に電流が流れて、ＬＥＤ９は階調２（ｇ２）の輝度で点灯する。
【０１２７】  図９Ｂは、図９Ａに示す例に適用されるスロット幅とパルス幅との関係を示す図である。
【０１２８】  映像表示装置１００が図９Ａに示すタイミングにしたがって各信号および各電流を制御する場合においても、ＬＥＤドライバ回路１４０は、図５に示す例と同様に、ＬＥＤを点灯させてもよい。つまり、ＬＥＤドライバ回路１４０は、図９Ｂに示すように、例えばＳＥＧ１ドライブ信号をＯＮとＯＦＦとに切り替えることにより、そのＳＥＧ１ドライブ信号に対応するＬＥＤを点灯させる。このとき、ＬＥＤドライバ回路１４０は、スロットよりも短い時間幅のパルス光をそのＬＥＤに繰り返し発生させることによって、そのスロットの期間だけＬＥＤを点灯させる。これにより、４ＰＰＭの光ＩＤにおけるデューティー比を任意に設定することができる。なお、ＬＥＤドライバ回路１４０は、ＳＥＧ２ドライブ信号およびＳＥＧ３ドライブ信号に対しても、ＳＥＧ１ドライブ信号と同様の切り替えを行う。
【０１２９】  なお、本実施の形態のＬＥＤドライバ回路１４０は電流値を制御する電流制御回路である必要はない。例えば電圧値を制御する電圧制御回路であっても良い。
【０１３０】  図１０Ａは、本実施の形態における映像表示装置１００における各信号と各電流のタイミングの他の例を示す図である。この例では、光ＩＤ制御部１５０は、光ＩＤおよび補正信号をＬＥＤドライバ回路１４０に出力する。また、この例では、フレーム表示期間は、光ＩＤ点灯期間［Ａ］と、それに続く３つの映像信号点灯期間［Ｂ１］〜［Ｂ３］とからなる。それらの期間におけるＬＥＤ１〜９の点灯によって１フレームが表現される。
【０１３１】  時分割スイッチング制御部１１０は、光ＩＤ点灯期間［Ａ］（時刻ｔ１〜ｔ２）において、その期間に含まれる４つのスロットのうちの最初のスロットで、ＣＯＭ１制御信号〜ＣＯＭ３制御信号のうちのＣＯＭ１制御信号のみをＨｉｇｈにする。そして、時分割スイッチング制御部１１０は、２番目のスロットで、ＣＯＭ１制御信号〜ＣＯＭ３制御信号のうちのＣＯＭ２制御信号のみをＨｉｇｈにする。さらに、時分割スイッチング制御部１１０は、３番目のスロットで、ＣＯＭ１制御信号〜ＣＯＭ３制御信号のうちのＣＯＭ３制御信号のみをＨｉｇｈにする。
【０１３２】  その結果、光ＩＤ点灯期間［Ａ］（時刻ｔ１〜ｔ２）において、スイッチ回路１２０に含まれる各トランジスタは、トランジスタＴｒ１、トランジスタＴｒ２、トランジスタＴｒ３の順に、スロットごとにオンする。なお、この例におけるスロット幅は、図７Ａおよび図９Ａに示すスロット幅（例えば１０４μｓ）よりも短く、例えば５μｓである。
【０１３３】  このとき、光ＩＤ点灯期間［Ａ］（時刻ｔ１〜ｔ２）では、ＬＥＤドライバ回路１４０は、ＬＥＤ１〜９を制御するためのＳＥＧ１ドライブ信号、ＳＥＧ２ドライブ信号、およびＳＥＧ３ドライブ信号のＯＮとＯＦＦとを、光ＩＤに応じて切り替える。これにより、ＬＥＤパネル１３０において、制御信号がＨｉｇｈで、かつ、ドライブ信号がＯＮのスロットにおいて、その制御信号およびドライブ信号に対応するＬＥＤに電流が流れて、そのＬＥＤが点灯する。例えば、ＬＥＤ１〜３が、光ＩＤ点灯期間［Ａ］（時刻ｔ１〜ｔ２）における最初のスロットにおいて点灯し、ＬＥＤ７〜９が３番目のスロットにおいて点灯する。したがって、光ＩＤ点灯期間［Ａ］（時刻ｔ１〜ｔ２）では、ＬＥＤ１〜９は、光ＩＤ（例えば「１０１０」）にしたがって輝度変化することにより、可視光信号を送信する。
【０１３４】  このように、図１０Ａに示す光ＩＤ点灯期間［Ａ］では、ＬＥＤ１〜３からなる第１のラインと、ＬＥＤ４〜６からなる第２のラインと、ＬＥＤ７〜９からなる第３のラインとはそれぞれ、そのラインに対応付けられたスロットにおいて点灯または消灯する。これにより、複数のスロットのそれぞれにおいてＨｉｇｈまたはＬｏｗを示す光ＩＤ（可視光信号）が送信される。
【０１３５】  さらに、時分割スイッチング制御部１１０は、光ＩＤ点灯期間［Ａ］（時刻ｔ１〜ｔ２）に続く映像信号点灯期間［Ｂ１］（時刻ｔ２〜ｔ３）では、ＣＯＭ１制御信号〜ＣＯＭ３制御信号のうち、ＣＯＭ１制御信号のみをＨｉｇｈにする。これにより、トランジスタＴｒ１はオンになる。このとき、ＬＥＤドライバ回路１４０は、映像信号に応じて、ＬＥＤ１〜３を制御するためのＳＥＧ１ドライブ信号、ＳＥＧ２ドライブ信号、およびＳＥＧ３ドライブ信号をＯＮにする。
【０１３６】  ここで、本実施の形態における光ＩＤ制御部１５０は、図７Ａに示す例と同様、映像信号点灯期間［Ｂ１］（時刻ｔ２〜ｔ３）における映像信号の輝度の階調を下げるための補正信号を生成する。つまり、光ＩＤ制御部１５０は、直前の光ＩＤ点灯期間［Ａ］（時刻ｔ１〜ｔ２）における光ＩＤを現わすための輝度の階調（第１の階調）だけ、映像信号の輝度の階調を下げるための補正信号を生成する。そして、光ＩＤ制御部１５０は、その補正信号をＬＥＤドライバ回路１４０に出力する。ＬＥＤドライバ回路１４０は、ドライブ信号を用いて、ＬＥＤの輝度をＰＷＭによって制御する。したがって、ＬＥＤドライバ回路１４０は、映像信号点灯期間［Ｂ１］（時刻ｔ２〜ｔ３）において、映像信号に応じてドライブ信号をＯＮにする期間を、その補正信号に応じて短くする。
【０１３７】  例えば、光ＩＤ点灯期間［Ａ］（時刻ｔ１〜ｔ２）においてＬＥＤ１〜３のそれぞれが階調１の輝度に相当するスロットだけ点灯するため、光ＩＤ制御部１５０は、補正階調１を示す補正信号をＬＥＤドライバ回路１４０に出力する。ＬＥＤドライバ回路１４０は、映像信号点灯期間［Ｂ１］（時刻ｔ２〜ｔ３）において、ＬＥＤ１の映像階調が１０であれば、その映像階調１０から補正階調１を減算する。その結果、ＬＥＤドライバ回路１４０は、映像信号点灯期間［Ｂ１］（時刻ｔ２〜ｔ３）において、階調９（映像階調１０−補正階調１）に相当する期間だけ、ＳＥＧ１ドライブ信号をＯＮにする。同様に、ＬＥＤドライバ回路１４０は、映像信号点灯期間［Ｂ１］（時刻ｔ２〜ｔ３）において、ＬＥＤ２の映像階調が７であれば、その映像階調７から補正階調１を減算する。その結果、ＬＥＤドライバ回路１４０は、映像信号点灯期間［Ｂ１］（時刻ｔ２〜ｔ３）において、階調６（映像階調７−補正階調１）に相当する期間だけ、ＳＥＧ２ドライブ信号をＯＮにする。同様に、ＬＥＤドライバ回路１４０は、映像信号点灯期間［Ｂ１］（時刻ｔ２〜ｔ３）において、ＬＥＤ３の映像階調が５であれば、その映像階調５から、補正階調１を減算する。その結果、ＬＥＤドライバ回路１４０は、映像信号点灯期間［Ｂ１］（時刻ｔ２〜ｔ３）において、階調４（映像階調５−補正階調１）に相当する期間だけ、ＳＥＧ３ドライブ信号をＯＮにする。
【０１３８】  これにより、ＣＯＭ１制御信号がＨｉｇｈで、かつ、ＳＥＧ１ドライブ信号がＯＮの期間において、ＬＥＤ１（ＣＯＭ１−ＳＥＧ１間）に電流が流れて、ＬＥＤ１が階調９（ｇ９）の輝度で点灯する。同様に、ＣＯＭ１制御信号がＨｉｇｈで、かつ、ＳＥＧ２ドライブ信号がＯＮの期間において、ＬＥＤ２（ＣＯＭ１−ＳＥＧ２間）に電流が流れて、ＬＥＤ２は階調６（ｇ６）の輝度で点灯する。同様に、ＣＯＭ１制御信号がＨｉｇｈで、かつ、ＳＥＧ３ドライブ信号がＯＮの期間において、ＬＥＤ３（ＣＯＭ１−ＳＥＧ３間）に電流が流れて、ＬＥＤ３は階調４（ｇ４）の輝度で点灯する。
【０１３９】  さらに、時分割スイッチング制御部１１０は、映像信号点灯期間［Ｂ１］（時刻ｔ２〜ｔ３）が経過した後の映像信号点灯期間［Ｂ２］（時刻ｔ４〜ｔ５）では、ＣＯＭ１制御信号〜ＣＯＭ３制御信号のうち、ＣＯＭ２制御信号のみをＨｉｇｈにする。これにより、トランジスタＴｒ２はオンになる。このとき、ＬＥＤドライバ回路１４０は、映像信号に応じて、ＬＥＤ４〜６を制御するためのＳＥＧ１ドライブ信号、ＳＥＧ２ドライブ信号、およびＳＥＧ３ドライブ信号をＯＮにする。
【０１４０】  ここで、光ＩＤ点灯期間［Ａ］（時刻ｔ１〜ｔ２）においてＬＥＤ４〜６のそれぞれは点灯しない。その結果、光ＩＤ制御部１５０は、階調１を示す補正信号をＬＥＤドライバ回路１４０に出力しない。したがって、ＬＥＤドライバ回路１４０は、映像信号点灯期間［Ｂ２］（時刻ｔ４〜ｔ５）において、ＬＥＤ４の映像階調が５であれば、映像階調５に相当する期間だけ、ＳＥＧ１ドライブ信号をＯＮにする。同様に、ＬＥＤドライバ回路１４０は、映像信号点灯期間［Ｂ２］（時刻ｔ４〜ｔ５）において、ＬＥＤ５の映像階調が８であれば、その映像階調８に相当する期間だけ、ＳＥＧ２ドライブ信号をＯＮにする。同様に、ＬＥＤドライバ回路１４０は、映像信号点灯期間［Ｂ２］（時刻ｔ４〜ｔ５）において、ＬＥＤ９の映像階調が６であれば、その映像階調６に相当する期間だけ、ＳＥＧ３ドライブ信号をＯＮにする。
【０１４１】  これにより、ＣＯＭ２制御信号がＨｉｇｈで、かつ、ＳＥＧ１ドライブ信号がＯＮの期間において、ＬＥＤ４（ＣＯＭ２−ＳＥＧ１間）に電流が流れて、ＬＥＤ４が階調５（ｇ５）の輝度で点灯する。同様に、ＣＯＭ２制御信号がＨｉｇｈで、かつ、ＳＥＧ２ドライブ信号がＯＮの期間において、ＬＥＤ５（ＣＯＭ２−ＳＥＧ２間）に電流が流れて、ＬＥＤ５は階調８（ｇ８）の輝度で点灯する。同様に、ＣＯＭ２制御信号がＨｉｇｈで、かつ、ＳＥＧ３ドライブ信号がＯＮの期間において、ＬＥＤ６（ＣＯＭ２−ＳＥＧ３間）に電流が流れて、ＬＥＤ６は階調６（ｇ６）の輝度で点灯する。
【０１４２】  さらに、時分割スイッチング制御部１１０は、映像信号点灯期間［Ｂ２］（時刻ｔ４〜ｔ５）が経過した後の映像信号点灯期間［Ｂ３］（時刻ｔ６〜ｔ７）では、ＣＯＭ１制御信号〜ＣＯＭ３制御信号のうち、ＣＯＭ３制御信号のみをＨｉｇｈにする。これにより、トランジスタＴｒ３はオンになる。このとき、ＬＥＤドライバ回路１４０は、映像信号に応じて、ＬＥＤ７〜９を制御するためのＳＥＧ１ドライブ信号、ＳＥＧ２ドライブ信号、およびＳＥＧ３ドライブ信号をＯＮにする。
【０１４３】  ここで、光ＩＤ点灯期間［Ａ］（時刻ｔ１〜ｔ２）においてＬＥＤ７〜９のそれぞれが階調１の輝度に相当するスロットだけ点灯するため、光ＩＤ制御部１５０は、補正階調１を示す補正信号をＬＥＤドライバ回路１４０に出力する。ＬＥＤドライバ回路１４０は、映像信号点灯期間［Ｂ３］（時刻ｔ６〜ｔ７）において、ＬＥＤ７の映像階調が７であれば、その映像階調７から補正階調１を減算する。その結果、ＬＥＤドライバ回路１４０は、映像信号点灯期間［Ｂ３］（時刻ｔ６〜ｔ７）において、階調６（映像階調７−補正階調１）に相当する期間だけ、ＳＥＧ１ドライブ信号をＯＮにする。同様に、ＬＥＤドライバ回路１４０は、映像信号点灯期間［Ｂ３］（時刻ｔ６〜ｔ７）において、ＬＥＤ８の映像階調が５であれば、その映像階調５から補正階調１を減算する。その結果、ＬＥＤドライバ回路１４０は、映像信号点灯期間［Ｂ３］（時刻ｔ６〜ｔ７）において、階調４（映像階調５−補正階調１）に相当する期間だけ、ＳＥＧ２ドライブ信号をＯＮにする。同様に、ＬＥＤドライバ回路１４０は、映像信号点灯期間［Ｂ３］（時刻ｔ６〜ｔ７）において、ＬＥＤ９の映像階調が２であれば、その映像階調２から補正階調１を減算する。その結果、ＬＥＤドライバ回路１４０は、映像信号点灯期間［Ｂ３］（時刻ｔ６〜ｔ７）において、階調１（映像階調２−補正階調１）に相当する期間だけ、ＳＥＧ３ドライブ信号をＯＮにする。
【０１４４】  これにより、ＣＯＭ３制御信号がＨｉｇｈで、かつ、ＳＥＧ１ドライブ信号がＯＮの期間において、ＬＥＤ７（ＣＯＭ３−ＳＥＧ１間）に電流が流れて、ＬＥＤ７が階調６（ｇ６）の輝度で点灯する。同様に、ＣＯＭ３制御信号がＨｉｇｈで、かつ、ＳＥＧ２ドライブ信号がＯＮの期間において、ＬＥＤ８（ＣＯＭ３−ＳＥＧ２間）に電流が流れて、ＬＥＤ８は階調４（ｇ４）の輝度で点灯する。同様に、ＣＯＭ３制御信号がＨｉｇｈで、かつ、ＳＥＧ３ドライブ信号がＯＮの期間において、ＬＥＤ９（ＣＯＭ３−ＳＥＧ３間）に電流が流れて、ＬＥＤ９は階調１（ｇ１）の輝度で点灯する。
【０１４５】  このように、図１０Ａに示す例では、１フレームにおける光ＩＤ点灯期間［Ａ］が短く、かつ、その光ＩＤ点灯期間［Ａ］において１つのＬＥＤが実際に点灯する期間は１スロット分だけである。また、そのスロット幅は例えば５μｓである。したがって、可視光信号を送信するためにＬＥＤパネル１３０が光ＩＤにしたがって輝度変化していても、その輝度変化によるちらつきを抑えることができるとともに、映像の乱れもさらに抑制することができる。
【０１４６】  なお、図１０Ａに示す例では、スロット幅をパルス幅と同じ５μｓとして説明したが、スロット幅は、図５に示す例と同様に、パルス幅よりも長くてもよい。
【０１４７】  図１０Ｂは、図１０Ａに示す例に適用される制御信号のスロット幅とパルス幅との関係を示す図である。
【０１４８】  映像表示装置１００が図１０Ａに示すタイミングにしたがって各信号および各電流を制御する場合においても、時分割スイッチング制御部１１０は、図５に示す例と同様に、ＬＥＤを点灯させてもよい。つまり、時分割スイッチング制御部１１０は、図１０Ｂに示すように、例えばＣＯＭ１制御信号をＨｉｇｈとＬｏｗとに切り替えることにより、そのＣＯＭ１制御信号に対応するＬＥＤを点灯させる。このとき、時分割スイッチング制御部１１０は、スロットよりも短い時間幅のパルス光をそのＬＥＤに繰り返し発生させることによって、そのスロットの期間だけＬＥＤを点灯させる。これにより、４ＰＰＭの光ＩＤにおけるデューティー比を任意に設定することができる。なお、時分割スイッチング制御部１１０は、ＣＯＭ２制御信号およびＣＯＭ３制御信号に対しても、ＣＯＭ１制御信号と同様の切り替えを行う。
【０１４９】  図１０Ｃは、図１０Ａに示す例に適用されるドライブ信号のスロット幅とパルス幅との関係を示す図である。
【０１５０】  映像表示装置１００が図１０Ａに示すタイミングにしたがって各信号および各電流を制御する場合においても、ＬＥＤドライバ回路１４０は、図５に示す例と同様に、ＬＥＤを点灯させてもよい。つまり、ＬＥＤドライバ回路１４０は、図１０Ｃに示すように、例えばＳＥＧ１ドライブ信号をＯＮとＯＦＦとに切り替えることにより、そのＳＥＧ１ドライブ信号に対応するＬＥＤを点灯させる。このとき、ＬＥＤドライバ回路１４０は、スロットよりも短い時間幅のパルス光をそのＬＥＤに繰り返し発生させることによって、そのスロットの期間だけＬＥＤを点灯させる。これにより、４ＰＰＭの光ＩＤにおけるデューティー比を任意に設定することができる。なお、ＬＥＤドライバ回路１４０は、ＳＥＧ２ドライブ信号およびＳＥＧ３ドライブ信号に対しても、ＳＥＧ１ドライブ信号と同様の切り替えを行う。
【０１５１】  また、時分割スイッチング制御部１１０およびＬＥＤドライバ回路１４０はそれぞれ、図１０Ｂおよび図１０Ｃに示す制御を例えば同時に行いながら、図１０Ａに示すタイミングにしたがって各信号および各電流を制御してもよい。
【０１５２】  なお、図１０Ａに示す例のようにドライブ信号を制御するＬＥＤドライバ回路１４０として、例えば米国テキサスインスツルメンツ社製のＴＬＣ５９５８などを用いてもよい。
【０１５３】  さらに、本実施の形態のＬＥＤドライバ回路１４０は電流値を制御する電流制御回路である必要はない。例えば電圧値を制御する電圧制御回路であっても良い。
【０１５４】  図１１Ａは、ＬＥＤパネルと映像信号との関係を示す図である。
【０１５５】  映像表示装置１００のＬＥＤパネル１３０は、説明を簡単にするために、９個のＬＥＤを備えていたが、９個以上のＬＥＤを備えていてもよい。また、ＬＥＤパネル１３０の各ＬＥＤには、図１１Ａに示すように、ラスタースキャン順に映像信号が出力される。
【０１５６】  ここで、ＬＥＤパネル１３０は、より多くのＬＥＤを含む大型のパネルである場合には、複数のＬＥＤユニットから構成されていてもよい。
【０１５７】  図１１Ｂは、複数のＬＥＤユニットから構成されるＬＥＤパネル１３０の一例を示す図である。
【０１５８】  ＬＥＤパネル１３０は、例えば３行３列のＬＥＤユニットから構成される。ＬＥＤユニットは、複数のＬＥＤが水平方向および垂直方向に沿って配列されたユニットである。このようなＬＥＤパネル１３０では、各ＬＥＤユニットは、そのＬＥＤユニットに対応する映像信号を取得すると、その取得した時点で、その映像信号に応じた映像の表示を開始する。したがって、単に、ＬＥＤパネル１３０の各ＬＥＤに対して、ラスタースキャン順に映像信号が出力される場合、各ＬＥＤユニット間において映像の表示タイミングが異なる。特に、ＬＥＤパネル１３０の左上端のＬＥＤユニットと、右下端のＬＥＤユニットとでは、映像の表示タイミングが大きく異なる。本実施の形態における映像表示装置１００は、このような表示タイミングのずれを防ぐために、映像メモリを備えてもよい。
【０１５９】  図１２は、ＬＥＤパネルの映像表示方法の一例を示す図である。
【０１６０】  本実施の形態における映像表示装置１００は、例えば、ＶＲＡＭ（Ｖｉｄｅｏ  Ｒａｎｄｏｍ  Ａｃｃｅｓｓ  Ｍｅｍｏｒｙ）などの映像メモリを備える。そして、映像表示装置１００は、各ＬＥＤユニットの間での映像の表示タイミングを揃えるために、ＬＥＤパネル１３０に入力される映像信号をＶＲＡＭに保存する。つまり、各ＬＥＤユニットに対応する映像信号がそれぞれＶＲＡＭに一時的に保存される。そして、映像表示装置１００は、所定のタイミングで、ＬＥＤパネル１３０における全てのＬＥＤユニットに対して、ＶＲＡＭに保存されているそれらのＬＥＤユニットの映像信号に基づく映像の表示を一斉に開始させる。上述の所定のタイミングは、例えば、垂直同期信号（ＶＳ）などの同期信号が得られたタイミングである。
【０１６１】  これにより、ＬＥＤパネル１３０におけるＬＥＤユニットの間で、映像の表示タイミングが異なることを抑えることができる。
【０１６２】  図１３は、ＬＥＤパネルの映像表示方法の他の例を示す図である。
【０１６３】  映像表示装置１００は、ＶＲＡＭなどの映像メモリを２画面分備えてもよい。つまり、映像表示装置１００は、ＬＥＤパネル１３０に表示される映像を２枚だけ保持できるように、２つのＶＲＡＭ（ＶＲＡＭ（Ａ）およびＶＲＡＭ（Ｂ））を備える。そして、映像表示装置１００は、何れか一方のＶＲＡＭへの映像信号の保存と、他方のＶＲＡＭに保存されている映像信号に基づく映像の表示とを並列に行う。
【０１６４】  例えば、図１３に示すように、映像表示装置１００は、ＶＲＡＭ（Ａ）への映像信号の保存と、ＶＲＡＭ（Ｂ）の映像の表示とを並列に行い、次に、ＶＲＡＭ（Ｂ）への次の映像信号の保存と、ＶＲＡＭ（Ａ）の映像の表示とを並列に行う。さらに、映像表示装置１００は、ＶＲＡＭ（Ａ）への次の映像信号の保存と、ＶＲＡＭ（Ｂ）の映像の表示とを並列に行う。
【０１６５】  このように、それぞれのＶＲＡＭを用いた保存と表示とを並列に行うとともに、その保存と表示に用いられるＶＲＡＭを入れ換えることによって、映像の表示の遅延を１フレーム分に抑えることができる。
【０１６６】  図１４は、ちらつきの抑制の一例を説明するための図である。
【０１６７】  例えば、映像表示装置１００は、図４に示す例と同様に、光ＩＤ点灯期間において、ＣＯＭ１制御信号をＨｉｇｈにすることによって、光ＩＤにしたがった輝度変化をＬＥＤパネル１３０に実行させる。このとき、映像表示装置１００は、その光ＩＤ点灯期間に続く映像信号点灯期間において、光ＩＤを現わすための輝度の階調だけ、映像信号の輝度の階調を低下させる。なお、光ＩＤを現わすための輝度の階調（第１の階調）は、上述の補正階調と同一であって、以下、光ＩＤの階調ともいう。また、映像信号の輝度の階調は、上述の映像階調であって、映像信号の階調ともいう。
【０１６８】  つまり、映像表示装置１００は、その映像信号点灯期間においてＣＯＭ１制御信号がＨｉｇｈのときに、映像階調を低下させる。その映像信号点灯期間においてＣＯＭ１制御信号がＨｉｇｈになるときが複数回あれば、映像表示装置１００は、それらの時点（Ｈｉｇｈの時点）において、映像階調を低下させる。このように、映像階調は補正される。なお、ＣＯＭ１制御信号またはＣＯＭ２制御信号などの制御信号がＨｉｇｈになる時点を、ループともいう。
【０１６９】  ここで、図１４の（ａ）に示すように、光ＩＤにしたがった輝度変化をＬＥＤにさせるか否かの判定に用いられる閾値（閾値階調）と、光ＩＤの階調とが同じ場合、すなわち、閾値階調＝光ＩＤの階調の場合、ＬＥＤパネル１３０においてちらつきが生じる。
【０１７０】  例えば、映像階調が、閾値階調よりも低い場合、具体的には「閾値階調−１」である場合、光ＩＤ点灯期間において、光ＩＤにしたがった輝度変化は行われない。さらに、映像信号点灯期間では、ＬＥＤパネル１３０のＣＯＭ１制御信号に対応するＬＥＤは、ＣＯＭ１制御信号がＨｉｇｈになる時点で、その映像信号にしたがった輝度の階調で点灯する。ここで、ＣＯＭ１制御信号がＨｉｇｈになる時点（ループ）が互いに離れて２つある場合には、それらの時点でＬＥＤが点灯するため、発光重心Ｃ１は、それらの時点の中間付近になる。
【０１７１】  一方、映像階調が閾値階調と等しい場合、光ＩＤ点灯期間において、光ＩＤにしたがった輝度変化が行われる。しかし、映像信号点灯期間では、ＬＥＤパネル１３０のＣＯＭ１制御信号に対応するＬＥＤは、映像信号に対する補正によって、ＣＯＭ１制御信号がＨｉｇｈになる時点であっても点灯しない。したがって、このような場合には、発光重心Ｃ２は、光ＩＤにしたがった輝度変化が行われている期間の中間付近になる。
【０１７２】  これにより、閾値階調＝光ＩＤの階調の場合には、映像階調が、閾値階調になるか、「閾値階調−１」になるかに応じて、発光重心が大きくずれる。この発光重心のずれ、または移動によって、ＬＥＤパネル１３０がちらついて見える。
【０１７３】  そこで、本実施の形態における映像表示装置１００は、図１４の（ｂ）に示すように、閾値階調を光ＩＤの階調と同じにすることなく、その光ＩＤの輝度の階調よりも高く、例えば、その光ＩＤの階調の２倍（または１．５倍）に設定する。つまり、本実施の形態では、閾値階調は、第１の階調よりも高い。具体的には、閾値階調は、第１の階調の略１．５倍以上である。
【０１７４】  例えば、映像階調が、閾値階調よりも１階調だけ低い場合、具体的には「閾値階調−１」である場合、光ＩＤ点灯期間において、光ＩＤにしたがった輝度変化は行われない。さらに、映像信号点灯期間では、ＬＥＤパネル１３０のＣＯＭ１制御信号に対応するＬＥＤは、ＣＯＭ１制御信号がＨｉｇｈになる時点で、その映像信号にしたがった輝度の階調で点灯する。ここで、ＣＯＭ１制御信号がＨｉｇｈになる時点が互いに離れて２つある場合には、それらの時点でＬＥＤが点灯するため、発光重心Ｃ３は、それらの時点の中間付近になる。
【０１７５】  一方、映像階調が閾値階調と等しい場合、光ＩＤ点灯期間において、光ＩＤにしたがった輝度変化が行われる。そして、映像信号点灯期間では、ＬＥＤパネル１３０のＣＯＭ１制御信号に対応するＬＥＤは、ＣＯＭ１制御信号がＨｉｇｈになる２つの時点で点灯する。これらの時点で点灯する期間は、上述の映像信号に対する補正によって、例えば等しく短くされる。したがって、光ＩＤ点灯期間だけでなく、映像信号点灯期間においても、ＬＥＤが点灯するため、発光重心Ｃ４を、図１４の（ａ）に示す場合と比べて、映像信号点灯期間側に移すことができる。
【０１７６】  これにより、閾値階調が、光ＩＤの階調よりも高いため、映像階調が、閾値階調になるか、「閾値階調−１」になるかに応じて、発光重心が大きくずれることを抑えることができる。したがって、例えば、映像階調が閾値階調をまたぐように映像がゆっくり変わるときのちらつきを抑制することができる。
【０１７７】  また、本実施の形態では、映像信号点灯期間（第２の期間）における複数のループ（時点）で、ＬＥＤが点灯する場合には、複数のループのそれぞれの映像階調（第２の階調）を補正する。そして、映像信号点灯期間では、複数のループ（時点）のそれぞれで、補正された映像階調（第２の階調）でＬＥＤを点灯させる。これにより、複数のループのそれぞれの第２の階調の補正幅を少なくすることができ、補正による映像の表示への影響を抑えることができる。
【０１７８】  さらに、本実施の形態では、複数のループ（時点）のそれぞれの第２の階調から、同一の階調を減算することによって、複数のループのそれぞれの第２の階調を補正する。したがって、補正の制御を簡単にすることができる。
【０１７９】  図１５は、ちらつきの抑制の他の例を説明するための図である。
【０１８０】  本実施の形態における映像表示装置１００は、図１５に示すように、閾値階調を、光ＩＤの階調（第１の階調）よりも高くするだけでなく、映像信号に応じてＬＥＤが点灯する各期間に対する補正の短縮幅を異ならせてもよい。
【０１８１】  具体的には、映像表示装置１００は、図１５に示すように、閾値階調を、光ＩＤの階調と同じにすることなく、その光ＩＤの階調よりも高く、例えば、その光ＩＤの階調の２倍に設定する。
【０１８２】  このように閾値階調が設定されているときに、映像階調が、閾値階調よりも１階調だけ低い場合、具体的には「閾値階調−１」である場合、光ＩＤ点灯期間において、光ＩＤにしたがった輝度変化は行われない。さらに、映像信号点灯期間では、ＬＥＤパネル１３０のＣＯＭ１制御信号に対応するＬＥＤは、ＣＯＭ１制御信号がＨｉｇｈになる時点で、映像信号にしたがった輝度の階調で点灯する。ここで、ＣＯＭ１制御信号がＨｉｇｈになる時点（ループ）が互いに離れて２つある場合には、それらの時点でＬＥＤが点灯するため、発光重心Ｃ５は、それらの時点の中間付近になる。
【０１８３】  一方、映像階調が閾値階調と等しい場合、光ＩＤ点灯期間において、光ＩＤにしたがった輝度変化が行われる。そして、映像信号点灯期間では、ＬＥＤパネル１３０のＣＯＭ１制御信号に対応するＬＥＤは、ＣＯＭ１制御信号がＨｉｇｈになる２つの時点（ループ）で点灯する。これらの時点で点灯する期間は、上述の映像信号に対する補正によって、短くされる。このとき、映像表示装置１００のＬＥＤドライバ回路１４０は、ＣＯＭ１制御信号がＨｉｇｈになる２つの時点のうち、前の時点でＬＥＤが点灯する期間の短縮幅を大きく、後の時点でＬＥＤが点灯する期間の短縮幅を小さくする。したがって、図１５に示す例では、図１４の（ｂ）に示す例に比べて、発光重心Ｃ６をさらに後に移すことができる。つまり、発光重心Ｃ６を、ＣＯＭ１制御信号がＨｉｇｈになる２つの時点の中間付近に近づけることができる。
【０１８４】  このように、本実施の形態では、複数のループ（時点）のうちの第１のループにおける第２の階調から、ｎ階調（ｎは１以上の整数）を減算する。さらに、複数のループのうちの第１のループよりも光ＩＤ点灯期間（第１の期間）から遠い第２のループにおける第２の階調から、ｍ階調（ｍは１以上ｎ未満の整数）を減算する。このような減算によって、第１および第２のループのそれぞれの第２の階調を補正する。
【０１８５】  これにより、映像階調が、閾値階調になるか、「閾値階調−１」になるかに応じて、発光重心がずれることをさらに抑えることができる。したがって、例えば、映像階調が閾値階調をまたぐように映像がゆっくり変わるときのちらつきをさらに抑制することができる。
【０１８６】  図１６は、ＬＥＤパネル１３０が、１フレーム表示期間に光ＩＤにしたがって輝度変化するタイミングの例を示す図である。
【０１８７】  例えば、図１６の（ａ）に示すように、ＬＥＤパネル１３０は、ＣＯＭ１制御信号によって制御される複数のＣＯＭ１ラインと、ＣＯＭ２制御信号によって制御される複数のＣＯＭ２ラインとからなる。ＣＯＭ１ラインおよびＣＯＭ２ラインは、それぞれ水平方向に配列された複数のＬＥＤからなり、それぞれ奇数ラインまたは偶数ラインであってもよい。
【０１８８】  この場合、光ＩＤにしたがって輝度変化するＬＥＤパネル１３０の領域は２つに分割される。２つのうちの１つの領域は複数のＣＯＭ１ラインからなる領域であり、もう１つの領域は複数のＣＯＭ２ラインからなる領域である。
【０１８９】  そして、複数のＣＯＭ１ラインは、１フレーム表示期間の前半において、光ＩＤにしたがって輝度変化し、複数のＣＯＭ２ラインは、１フレーム表示期間の後半において、光ＩＤにしたがって輝度変化する。このように、複数のＣＯＭ１ラインおよび複数のＣＯＭ２ラインによる、光ＩＤにしたがった輝度変化、すなわち可視光信号の送信は、１フレーム表示期間において２回行われる。
【０１９０】  また、図１６の（ｂ）に示すように、複数のＣＯＭ１ラインは、１フレーム表示期間に２回、光ＩＤにしたがって輝度変化し、複数のＣＯＭ２ラインも、１フレーム表示期間に２回、光ＩＤにしたがって輝度変化してもよい。つまり、複数のＣＯＭ１ラインおよび複数のＣＯＭ２ラインによる、光ＩＤにしたがった輝度変化、すなわち可視光信号の送信は、１フレーム表示期間において４回行われてもよい。これらの４回の可視光信号の送信が行われるタイミングの間隔は、等しくてもよい。
【０１９１】  また、図１６の（ｃ）に示すように、複数のＣＯＭ１ラインは、１フレーム表示期間に２回または１回、光ＩＤにしたがって輝度変化し、複数のＣＯＭ２ラインは、１フレーム表示期間に１回または２回、光ＩＤにしたがって輝度変化してもよい。このように、複数のＣＯＭ１ラインおよび複数のＣＯＭ２ラインによる、光ＩＤにしたがった輝度変化、すなわち可視光信号の送信は、１フレーム表示期間において３回（奇数回）行われてもよい。これらの３回の可視光信号の送信が行われるタイミングの間隔は、等しくてもよい。
【０１９２】  図１７は、ＬＥＤパネル１３０が、１フレーム表示期間に光ＩＤにしたがって輝度変化するタイミングの他の例を示す図である。
【０１９３】  例えば、図１７の（ａ）に示すように、ＬＥＤパネル１３０は、ＣＯＭ１制御信号によって制御される複数のＣＯＭ１ラインと、ＣＯＭ２制御信号によって制御される複数のＣＯＭ２ラインと、ＣＯＭ３制御信号によって制御される複数のＣＯＭ３ラインとからなる。ＣＯＭ１ライン、ＣＯＭ２ラインおよびＣＯＭ３ラインは、それぞれ水平方向に配列された複数のＬＥＤからなる。
【０１９４】  この場合、光ＩＤにしたがって輝度変化するＬＥＤパネル１３０の領域は３つに分割される。３つのうちの１つの領域は、複数のＣＯＭ１ラインからなる領域であり、他の１つの領域は、複数のＣＯＭ２ラインからなる領域であり、残りの１つの領域は、複数のＣＯＭ３ラインからなる領域である。
【０１９５】  そして、複数のＣＯＭ１ラインは、１フレーム表示期間に１回、光ＩＤにしたがって輝度変化し、複数のＣＯＭ２ラインは、１フレーム表示期間に１回、光ＩＤにしたがって輝度変化する。複数のＣＯＭ３ラインも、１フレーム表示期間に１回、光ＩＤにしたがって輝度変化する。このように、複数のＣＯＭ１ライン、複数のＣＯＭ２ラインおよび複数のＣＯＭ３ラインによる、光ＩＤにしたがった輝度変化、すなわち可視光信号の送信は、１フレーム表示期間において３回行われる。これらの３回の可視光信号の送信が行われるタイミングの間隔は、等しくてもよい。
【０１９６】  また、図１７の（ｂ）に示すように、複数のＣＯＭ１ラインは、１フレーム表示期間に０回または１回、光ＩＤにしたがって輝度変化し、複数のＣＯＭ２ラインも、１フレーム表示期間に０回または１回、光ＩＤにしたがって輝度変化してもよい。複数のＣＯＭ３ラインも、１フレーム表示期間に０回または１回、光ＩＤにしたがって輝度変化してもよい。つまり、複数のＣＯＭ１ライン、複数のＣＯＭ２ラインおよび複数のＣＯＭ３ラインによる、光ＩＤにしたがった輝度変化、すなわち可視光信号の送信は、１フレーム表示期間において２回（偶数回）行われてもよい。
【０１９７】  また、図１７の（ｃ）に示すように、ＬＥＤパネル１３０は、複数のＣＯＭ１ライン、複数のＣＯＭ２ライン、および複数のＣＯＭ３ラインだけでなく、複数のＣＯＭ４ラインと、複数のＣＯＭ５ラインと、複数のＣＯＭ６ラインとを備えてもよい。ＣＯＭ４ライン、ＣＯＭ５ラインおよびＣＯＭ６ラインは、それぞれ水平方向に配列された複数のＬＥＤからなり、ＣＯＭ１制御信号などと同様の制御信号である、ＣＯＭ４制御信号、ＣＯＭ５制御信号およびＣＯＭ６制御信号によって制御される。
【０１９８】  この場合、光ＩＤにしたがって輝度変化するＬＥＤパネル１３０の領域は６つに分割される。６つの領域は、複数のＣＯＭ１ラインからなる領域と、複数のＣＯＭ２ラインからなる領域と、複数のＣＯＭ３ラインからなる領域と、複数のＣＯＭ４ラインからなる領域と、複数のＣＯＭ５ラインからなる領域と、複数のＣＯＭ６ラインからなる領域である。
【０１９９】  そして、複数のＣＯＭ１ラインは、１フレーム表示期間に１回、光ＩＤにしたがって輝度変化し、複数のＣＯＭ２ラインは、１フレーム表示期間に１回、光ＩＤにしたがって輝度変化してもよい。さらに、複数のＣＯＭ３ライン、複数のＣＯＭ４ライン、複数のＣＯＭ５ライン、および複数のＣＯＭ６ラインもそれぞれ、上述と同様に、１フレーム表示期間に１回、光ＩＤにしたがって輝度変化してもよい。つまり、複数のＣＯＭ１ライン〜複数のＣＯＭ６ラインによる、光ＩＤにしたがった輝度変化、すなわち可視光信号の送信は、１フレーム表示期間において６回行われてもよい。これらの６回の可視光信号の送信が行われるタイミングの間隔は、等しくてもよい。
【０２００】  なお、図１６および図１７に示す、ＬＥＤパネル１３０の領域の分割パターンおよび可視光信号の送信回数は、本実施の形態の一例に過ぎず、どのような分割パターンであっても、どのような送信回数であってもよい。
【０２０１】  ここで、図７Ａに示すような制御信号によって可視光信号を送信する方式と、図９Ａに示すようなドライブ信号によって可視光信号を送信する方式とを比較して説明する。
【０２０２】  図７Ａに示す方式では、映像階調の補正によって、映像の表示（階調性）を崩さずに可視光信号（光ＩＤ）を送信することができる。ただし、光ＩＤのデューティー比は、可視光信号を送信する各ＬＥＤ（画素に相当）に対して同じ比率に設定される。なお、その可視光信号を送信する各ＬＥＤは、ＣＯＭ１ライン、ＣＯＭ２ラインおよびＣＯＭ３ラインのうちの同じラインに含まれるＬＥＤである。また、光ＩＤのデューティー比（第１の階調）を低くするほど、より低い映像階調のＬＥＤからでも可視光信号を送信させることができるが、光ＩＤの輝度が低下する。一方、光ＩＤのデューティー比を高くするほど、光ＩＤの輝度の低下を抑えることができるが、低い映像階調のＬＥＤから可視光信号を送信させることが難しくなる。
【０２０３】  図９Ａに示す方式では、画素ごとにデューティー比を設定することができる。したがって、輝度の低下を抑えながら、低い映像階調のＬＥＤからでも可視光信号を送信させることができる。つまり、低い映像階調のＬＥＤ（画素）は、低いデューティー比で可視光信号（光ＩＤ）を送信し、高い映像階調のＬＥＤは、高いデューティー比で可視光信号を送信することができる。また、映像信号点灯期間では、光ＩＤの階調だけ映像階調（輝度）が補正される。このように光ＩＤの階調と映像階調とを制御することによって、高い映像階調の画素に対しては、光ＩＤ点灯期間においてデューティー比を高くすることにより、輝度の低下を抑制しつつ、低い映像階調の画素から可視光信号を送信することが可能となる。
【０２０４】  図１８は、最高の映像階調が２０の場合における、映像階調、光ＩＤの階調および補正後の映像階調の関係を示す図である。
【０２０５】  例えば、この図１８に示すように、映像階調が２０であり、光ＩＤの階調（デューティー比に相当）が１０であれば、映像階調に対する補正量は１０であり、補正後の映像階調は２０−１０＝１０となる。また、このとき、光ＩＤの階調と補正後の映像階調との和は２０であり、元の映像階調の２０を崩すことなく映像を適切に表示することができる。
【０２０６】  ここで、映像信号点灯期間から無駄な期間を削減してもよい。これにより、輝度の低下を極力おさえることが可能となる。
【０２０７】  図１９は、映像信号点灯期間から無駄な期間を削減する例を示す図である。
【０２０８】  例えば、図１９の（ａ）に示すように、最高の映像階調が２６の場合に、映像信号点灯期間に対して２６階調に相当する期間が確保されていると、光ＩＤの階調（例えば１０階調）が無駄になる。つまり、光ＩＤの階調が１０の場合には、補正後の映像階調は１６以下となるため、映像信号点灯期間は１６階調に相当する期間だけあれば足りる。その結果、映像信号点灯期間が２６階調に相当する期間あっても、１０階調に相当する期間は無駄になる。
【０２０９】  そこで、図１９の（ｂ）に示すように、映像信号点灯期間を１６階調に相当する期間だけにすることで、無駄を省くことができる。なお、光ＩＤのデューティー比は最大でも１００％未満（４ＰＰＭの場合は、デューティー比の最大は７５％）であるため、その分の輝度の低下はあるが、その低下を最小限に留めることができる。
【０２１０】  図２０Ａ〜図２０Ｃは、最高の映像階調が２６の場合における、映像階調、光ＩＤの階調および補正後の映像階調の関係を示す図である。
【０２１１】  図２０Ａに示す関係では、図１８に示す関係と同様に、映像階調の増減に伴って、光ＩＤの階調と、補正後の映像階調とが同じように変化する。図２０Ｂに示す関係では、映像階調が０から２６まで増加する場合、光ＩＤの階調が優先的に増加する。例えば、映像階調が０から１１までの間では、光ＩＤの階調が映像階調の増加に伴って増加する。そして、光ＩＤの階調が最大の１０、すなわち光ＩＤのデューティー比が最大になると、映像階調が１２〜２６までの間では、補正後の映像階調が映像階調の増加に伴って増加する。図２０Ｃに示す関係では、図２０Ｂに示す関係とは逆に、映像階調が０から２６まで増加する場合、補正後の映像階調が優先的に増加する。例えば、映像階調が０から１７までの間では、補正後の映像階調が元の映像階調の増加に伴って増加する。そして、補正後の映像階調が最大の１６になると、映像階調が１７〜２６までの間では、光ＩＤの階調が映像階調の増加に伴って増加する。
【０２１２】  （まとめ）  図２１Ａは、本開示の一態様に係る映像表示方法を示すフローチャートである。
【０２１３】  本開示の一態様に係る映像表示方法は、ステップＳ１１〜Ｓ１５を含む。ステップＳ１１では、映像信号および可視光信号を取得する。ステップＳ１２では、可視光信号を変調することにより、輝度変化パターンを決定する。ステップＳ１３では、映像信号の１フレームを表示するフレーム表示期間の一部の期間である第１の期間において、パネルに含まれる複数の光源のうちの少なくとも１つの光源を、その輝度変化パターンにしたがって輝度変化させることにより、可視光信号を送信する。
【０２１４】  ステップＳ１４では、そのフレーム表示期間の一部の期間であって第１の期間の後にある第２の期間における、映像信号によって示される光源の輝度の階調である第２の階調を、第１の期間の輝度変化パターンによって表現される光源の輝度の階調である第１の階調に応じて補正する。ステップＳ１５では、第２の期間において、補正されたその第２の階調で光源を点灯させる。
【０２１５】  図２１Ｂは、本開示の一態様に係る映像表示装置の機能構成の一例を示す図である。
【０２１６】  本開示の一態様に係る映像表示装置１０は、上記実施の形態の映像表示装置１００に相当し、パネル１６、信号取得部１１、決定部１２、信号送信部１３、補正部１４、および映像点灯部１５を備える。
【０２１７】  パネル１６には、複数の光源が配列されている。信号取得部１１は、映像信号および可視光信号を取得する。決定部１２は、その可視光信号を変調することにより、輝度変化パターンを決定する。
【０２１８】  信号送信部１３は、映像信号の１フレームを表示するフレーム表示期間の一部の期間である第１の期間において、パネル１６に含まれる複数の光源のうちの少なくとも１つの光源を、その輝度変化パターンにしたがって輝度変化させることにより、可視光信号を送信する。
【０２１９】  補正部１４は、フレーム表示期間の一部の期間であってその第１の期間の後にある第２の期間における、映像信号によって示される光源の輝度の階調である第２の階調を、第１の期間の輝度変化パターンによって表現される光源の輝度の階調である第１の階調に応じて補正する。映像点灯部１５は、第２の期間において、補正された第２の階調で光源を点灯させる。
【０２２０】  ここで、パネル１６は、例えばＬＥＤパネル１３０であり、光源は、例えばＬＥＤである。また、光源は、映像の画素を表現できるものであればＬＥＤとは異なる光源であってもよい。また、第１の期間は、例えば光ＩＤ点灯期間であり、第２の期間は、例えば映像信号点灯期間である。また、第１の階調は、例えば上述の光ＩＤの階調または補正階調に相当し、第２の階調は、例えば上述の映像階調に相当する。
【０２２１】  また、信号取得部１１は、例えば上述の光ＩＤ制御部１５０およびＬＥＤドライバ回路１４０のそれぞれの機能を有し、図２１ＡのステップＳ１１の処理を実行する。決定部１２は、例えば上述の光ＩＤ制御部１５０の機能を有し、図２１ＡのステップＳ１２の処理を実行する。信号送信部１３は、例えば上述のＬＥＤドライバ回路１４０の機能を有し、図２１ＡのステップＳ１３の処理を実行する。補正部１４は、例えば上述の光ＩＤ制御部１５０およびＬＥＤドライバ回路１４０のそれぞれの機能を有し、図２１ＡのステップＳ１４の処理を実行する。映像点灯部１５は、例えば上述のＬＥＤドライバ回路１４０の機能を有し、図２１ＡのステップＳ１５の処理を実行する。
【０２２２】  このように、本開示の一態様に係る映像表示方法および映像表示装置１０では、第２の階調は、第１の階調に応じて補正され、映像を表示するときには、補正された第２の階調で光源が点灯される。したがって、映像の表示の崩れを抑えることができる。その結果、映像の表示と可視光信号の送信とをそれぞれ適切に行うことができる。
【０２２３】  以上、一つまたは複数の態様に係る映像表示方法および映像表示装置について、実施の形態に基づいて説明したが、本開示は、この実施の形態に限定されるものではない。本開示の趣旨を逸脱しない限り、当業者が思いつく各種変形を本実施の形態に施したものや、構成要素を組み合わせて構築される形態も、一つまたは複数の態様の範囲内に含まれてもよい。
【０２２４】  また、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記実施の形態の映像表示装置などを実現するソフトウェアは、図２１Ａのフローチャートに含まれる各ステップをコンピュータに実行させるプログラムである。
【産業上の利用可能性】
【０２２５】  本開示は、映像の表示と可視光信号の送信とをそれぞれ適切に行うことができるという効果を奏し、例えば、大型ＬＥＤパネルを備えた映像表示装置などに利用可能である。
【符号の説明】
【０２２６】  １〜９    ＬＥＤ  １００    映像表示装置  １１０    時分割スイッチング制御部  １２０    スイッチ回路  １３０    ＬＥＤパネル  １４０    ＬＥＤドライバ回路  １５０    光ＩＤ制御部  Ｔｒ１〜Ｔｒ３    トランジスタ
【図１】
2017098684.tif 000003
【図２】
2017098684.tif 000004
【図３】
2017098684.tif 000005
【図４】
2017098684.tif 000006
【図５】
2017098684.tif 000007
【図６】
2017098684.tif 000008
【図７Ａ】
2017098684.tif 000009
【図７Ｂ】
2017098684.tif 000010
【図８】
2017098684.tif 000011
【図９Ａ】
2017098684.tif 000012
【図９Ｂ】
2017098684.tif 000013
【図１０Ａ】
2017098684.tif 000014
【図１０Ｂ】
2017098684.tif 000015
【図１０Ｃ】
2017098684.tif 000016
【図１１Ａ】
2017098684.tif 000017
【図１１Ｂ】
2017098684.tif 000018
【図１２】
2017098684.tif 000019
【図１３】
2017098684.tif 000020
【図１４】
2017098684.tif 000021
【図１５】
2017098684.tif 000022
【図１６】
2017098684.tif 000023
【図１７】
2017098684.tif 000024
【図１８】
2017098684.tif 000025
【図１９】
2017098684.tif 000026
【図２０Ａ】
2017098684.tif 000027
【図２０Ｂ】
2017098684.tif 000028
【図２０Ｃ】
2017098684.tif 000029
【図２１Ａ】
2017098684.tif 000030
【図２１Ｂ】
2017098684.tif 000031
【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
複数の光源と、
前記複数の光源のうち、第１の所定数の光源で構成される第１のグループ毎に、前記第１の所定数の光源に接続される第１のスイッチのオンまたはオフを制御する第１の回路と、
前記複数の光源のうち、前記第１のグループとは異なる、第２の所定数の光源で構成される第２のグループ毎に、前記第２の所定数の光源に接続される第２のスイッチのオンまたはオフを制御する第２の回路と、
前記複数の光源に含まれる１以上の光源を輝度変化させることにより信号を送信する可視光信号を取得する第１の取得部と、を備え、
前記可視光信号に従って、前記１以上の光源を輝度変化させる場合、
前記第１の回路は、前記１以上の光源が含まれる前記第１のグループの前記第１のスイッチをオンとし、
前記第２の回路は、前記１以上の光源が含まれる前記第２のグループの前記第２のスイッチのオンまたはオフを、前記可視光信号に従って切り替え、
前記１のスイッチ、及び、前記第２のスイッチがオンの場合に、前記１以上の光源に電流が流れ、前記第１のスイッチ、及び、前記第２のスイッチのいずれか一方がオフの場合に、前記１以上の光源に電流が流れない、
表示装置
【請求項１２】
前記１以上の光源は、前記１のスイッチ、及び、前記第２のスイッチに接続されている、
請求項１１に記載の表示装置。
【請求項１３】
前記表示装置は、更に、
映像信号を取得する第２の取得部を備え、
第１の期間で、可視光信号に従って前記１以上の光源を制御し、前記第１の期間と異なる第２の期間で、映像を表示する場合、
前記第１の期間において、
前記第１の回路は、前記１以上の光源が含まれる前記第１のグループに接続される前記第１のスイッチをオンとし、
前記第２の回路は、前記１以上の光源が含まれる前記第２のグループに接続される前記第２のスイッチのオンまたはオフを、前記可視光信号に従って切り替え、
前記第２の期間において、
前記第１の回路は、前記複数の光源に接続される前記第１のスイッチのオンまたはオフを、前記第１のグルーブ毎に、前記映像信号に従って切り替え、
前記第２の回路は、前記複数の光源に接続される前記第２のスイッチをオンとする、
請求項１２に記載の表示装置。
【請求項１４】
前記複数の光源は、ｎ行×ｍ列の方形に配置されており、
前記第１のグループは、前記ｍ列の各列に対応しており、
前記第２のグループは、前記ｎ行の各行に対応している、
請求項１３に記載の表示装置。
【請求項１５】
前記ｎの値は、前記ｍの値と同じである、
請求項１４に記載の表示装置。
【請求項１６】
前記第２のスイッチは、ドライバー回路である、
請求項１１に記載の表示装置。
【請求項１７】
前記第２のスイッチは、トランジスタである、
請求項１１に記載の表示装置。
【請求項１８】
前記第２の回路は、複数の前記第２のグループのうち、所定数の前記第２のグループ毎に、前記第２のスイッチのオンまたはオフの制御を共通に行う、
請求項１４〜１７のいずれか１項に記載の表示装置。
【請求項１９】
前記第２の期間において、
前記第１の回路は、前記映像表示の階調から、補正階調を減算した階調を表示するための期間、前記第１のグループに接続される前記第１のスイッチをオンとし、
前記第２の回路は、前記第２のグループに接続される前記第２のスイッチをオンにしたまま、切り替え制御を行わない、
請求項１３に記載の表示装置。
【請求項２０】
前記補正階調は、前記可視光信号に従って、前記１以上の光源を制御した際に、前記１以上の光源を点灯した期間に基づいて算出される、
請求項１９に記載の表示装置。
【請求項２１】
複数の光源に含まれる、１以上の光源を輝度変化させることにより信号を送信する可視光信号を取得し、
前記複数の光源のうち、第１の所定数の光源で構成される第１のグループ毎に、前記第１の所定数の光源に接続される第１のスイッチのオンまたはオフを制御する第１の回路に対して、前記第１のスイッチをオンとし、
前記複数の光源のうち、第２の所定数の光源で構成される第２のグループ毎に、前記第２の所定数の光源に接続される第２のスイッチのオンまたはオフを制御する第２の回路に対して、前記第２のスイッチのオンまたはオフを、前記可視光信号に従って切り替えさせ、
前記１のスイッチ、及び、前記第２のスイッチがオンの場合に、前記１以上の光源に電流が流れ、前記第１のスイッチ、及び、前記第２のスイッチのいずれか一方がオフの場合に、前記１以上の光源に電流が流れない、
制御方法。
【請求項２２】
コンピュータ実行可能なプログラムであって、
請求項２１に記載の制御方法を実行するプログラム。
【国際調査報告】
2017098684.tif 000032
2017098684.tif 000033
2017098684.tif 000034
2017098684.tif 000035